(57)【要約】  本発明は、毛髪ストランドを寄せ集めて毛髪の束にする結束手段（１２１）；結束手段（１２１）と流体連通すると共にスタイリング組成物を含む貯蔵器と、結束手段（１２１）に沿って且つ結束手段（１２１）越しに、前記毛髪ストランドを保持し更に整列させる手段（１２２）を含む、頭皮領域上にある多量の区分けされていない毛髪ストランドを立ち上げるためのヘアスタイリング装置（１）を対象とする。装置（１）は、スタイリング組成物を固化させる手段（４）を含む。組成物は、毛髪をまとめることができ、固定用ポリマー及びキャリアを含む。
2007521050.tif 000002
【特許請求の範囲】
【請求項１】
頭皮領域上にある多量の区分けされていない毛髪を立ち上げるためのヘアスタイリング装置であって、
ａ）毛髪ストランドを寄せ集めて毛髪の束にする結束手段と、
ｂ）前記結束手段と流体連通すると共にスタイリング組成物を含む貯蔵器と、
ｃ）前記結束手段に沿って且つ前記結束手段越しに前記毛髪ストランドを保持し更に整列させる手段と、
ｄ）前記貯蔵器と流体連通すると共に前記スタイリング組成物を前記毛髪ストランドに適用するアプリケータ手段と
を備えるヘアスタイリング装置。
【請求項２】
前記ヘアスタイリング装置が、前記スタイリング組成物を固化させる手段を更に含む、請求項１に記載のヘアスタイリング装置。
【請求項３】
前記スタイリング組成物を固化させる前記手段が、空気供給源、熱プレート又はこれらの組み合わせから成る群から選択される、請求項３に記載のヘアスタイリング装置。
【請求項４】
前記スタイリング組成物を固化させる前記手段が空気供給源である、請求項３に記載のヘアスタイリング装置。
【請求項５】
前記スタイリング組成物を固化させる前記手段が熱プレートである、請求項３に記載のヘアスタイリング装置。
【請求項６】
前記空気供給源が、約２５℃〜約１４０℃の温度範囲の空気を放出する、請求項４に記載のヘアスタイリング装置。
【請求項７】
前記熱プレートが、約１００℃〜約１８０℃の温度範囲の熱を放出する、請求項５に記載のヘアスタイリング装置。
【請求項８】
前記毛髪ストランドを保持し更に整列させる前記手段が、前記結束手段の上方に配置される、請求項２に記載のヘアスタイリング装置。
【請求項９】
前記毛髪ストランドを保持し更に整列させる前記手段が、前記結束手段の下方に配置される、請求項２に記載のヘアスタイリング装置。
【請求項１０】
前記毛髪ストランドを保持し更に整列させる前記手段が、頭皮領域に実質的に直交して毛髪の束を整列させる、請求項２に記載のヘアスタイリング装置。
【請求項１１】
前記毛髪ストランドを保持し更に整列させる手段が、前記結束手段から約０〜約１０ｍｍ移動される、請求項２に記載のヘアスタイリング装置。
【請求項１２】
前記結束手段が中空である、請求項２に記載のヘアスタイリング装置。
【請求項１３】
前記スタイリング組成物を、前記アプリケータ手段を介して、前記貯蔵器から移送するための駆動手段を更に含む、請求項２に記載のヘアスタイリング装置。
【請求項１４】
前記アプリケータ手段が毛管である、請求項２に記載のヘアスタイリング装置。
【請求項１５】
前記スタイリング組成物が、前記頭皮領域から約１ｍｍ〜約２０ｍｍの距離で、前記毛髪の束の近位端に放出される、請求項２に記載のヘアスタイリング装置。
【請求項１６】
約１秒〜約２０秒の範囲で、前記スタイリング組成物が固化する、請求項２に記載のヘアスタイリング装置。
【請求項１７】
前記結束手段が櫛歯である、請求項２に記載のヘアスタイリング装置。
【請求項１８】
前記櫛歯は、高さが約２０ｍｍである、請求項１７に記載のヘアスタイリング装置。
【請求項１９】
前記櫛歯は、長さが約８５ｍｍ〜約９０ｍｍである、請求項１７に記載のヘアスタイリング装置。
【請求項２０】
前記櫛歯は、幅が約５ｍｍ〜約１０ｍｍである、請求項１７に記載のヘアスタイリング装置。
【請求項２１】
前記櫛歯は、約１．０ｍｍ〜約２．５ｍｍの距離で離れている、請求項１７に記載のヘアスタイリング装置。
【請求項２２】
前記櫛歯は、穴を有する毛管を更に備え、
前記スタイリング組成物を固化させる前記手段が空気供給源である、請求項１７に記載のヘアスタイリング装置。
【請求項２３】
前記櫛歯は、空気供給源からの空気流の経路を提供する、請求項２２に記載のヘアスタイリング装置。
【請求項２４】
前記空気供給源からの前記空気流は、約０．１５ｍ3／分〜約１．２ｍ3／分である、請求項２３に記載のヘアスタイリング装置。
【請求項２５】
前記櫛歯は、
１つの櫛歯からの前記スタイリング組成物と、
前記１つの櫛歯に水平に隣接する第２の櫛歯からの前記スタイリング組成物を固化させる前記手段と
の交互の供給を提供する、請求項１７に記載のヘアスタイリング装置。
【請求項２６】
前記櫛歯は、
前記スタイリング組成物を放出するか、
空気供給源又は熱プレートを備え得る、前記スタイリング組成物を固化させる前記手段を提供するか
のいずれかである、請求項２５に記載のヘアスタイリング装置。
【請求項２７】
シャッターを更に備える、請求項２に記載のヘアスタイリング装置。
【請求項２８】
前記貯蔵器が前記結束手段に含まれる、請求項２に記載のヘアスタイリング装置。
【請求項２９】
前記貯蔵器は、予め充填されたデリバリーシステムであり、
前記デリバリーシステムは、交換可能である、請求項２に記載のヘアスタイリング装置。
【請求項３０】
前記貯蔵器には、前記スタイリング組成物を充填することができる、請求項２に記載のヘアスタイリング装置。
【請求項３１】
前記スタイリング組成物は、毛髪をまとめることができる物質から構成される、請求項２に記載のヘアスタイリング装置。
【請求項３２】
前記スタイリング組成物が固定用ポリマーである、請求項３０に記載のヘアスタイリング装置。
【請求項３３】
前記スタイリング組成物がキャリアを更に含む、請求項３２に記載のヘアスタイリング装置。
【請求項３４】
前記スタイリング組成物が界面活性剤を更に含む、請求項３３に記載のヘアスタイリング装置。
【請求項３５】
前記界面活性剤が、陽イオン性、陰イオン性、非イオン性、双性イオン性、両性及びこれらの組み合わせから成る群から選択される、請求項３４に記載のヘアスタイリング装置。
【請求項３６】
前記スタイリング組成物が可塑剤を更に含む、請求項３３に記載のヘアスタイリング装置。
【請求項３７】
前記可塑剤が、ジエチレングリコールエチルエーテル、ジエチレングリコールメチルエーテル、ジエチレングリコールブチルエーテル、ジエチレングリコールヘキシルエーテル、エチレングリコールエチルエーテル、エチレングリコールブチルエーテル、エチレングリコールヘキシルエーテル、プロピレングリコール誘導体類、プロピレングリコールフェニルエーテル、プロピレングリコールジアセテート、ジプロピレングリコールブチルエーテル、トリプロピレングリコールブチルエーテル、プロピレングリコールメチルエーテル、ジプロピレングリコールメチルエーテル、トリプロピレングリコールメチルエーテル、１，３−ブチレングリコール、フタル酸ジエチル、フタル酸ジブチル、フタル酸ジイソプロピル、アジピン酸ジエチル、アジピン酸ジブチル、アジピン酸ジイソプロピル、酒石酸ジエチル、酒石酸ジブチル、リン酸ジエチル、リン酸ジブチル、リン酸ジ（２−エチルヘキシル）、グリセロールエステル類、グリセリルジアセテート、グリセリルトリアセテート、及びこれらの混合物から成る群から選択される、請求項３６に記載ヘアスタイリング装置。
【請求項３８】
前記固定用ポリマーが、陰イオン性、陽イオン性、両性及び非イオン性固定用ポリマー及びこれらの混合物から成る群から選択される、請求項３２又は３３に記載のヘアスタイリング装置。
【請求項３９】
前記スタイリング組成物が、前記アプリケータ手段から、アプリケータ手段の複数の出口につき約１μＬ〜約１５μＬに分配される、請求項３３に記載ヘアスタイリング装置。
【請求項４０】
前記スタイリング組成物が、前記アプリケータ手段から、アプリケータ手段の複数の出口につき約２μＬ〜約５μＬに分配される、請求項３９に記載のヘアスタイリング装置。
【請求項４１】
少なくとも１つの固定用ポリマーが、前記スタイリング組成物の総重量に対して約０．１重量％〜約２０重量％の範囲の量で存在する、請求項３３に記載のヘアスタイリング装置。
【請求項４２】
少なくとも１つの固定用ポリマーが、前記スタイリング組成物の総重量に対して約１重量％〜約５重量％の範囲の量で存在する、請求項４１に記載のヘアスタイリング装置。
【請求項４３】
前記陰イオン性固定用ポリマーが、
式（Ａ１）の不飽和モノ又はジカルボン酸モノマー由来のカルボン酸単位を含有するポリマーであり、
【化１】
2007521050.tif 000011
式中、
ｎは約０〜約１０の整数であり、
Ａはメチレン基を表し、不飽和基の炭素原子に、又はｎが１超過の場合に酸素又はイオウであり得るヘテロ原子を介して隣接するメチレン基に任意に結合し、
Ｒ7は、水素原子、フェニル基、又はベンジル基を表し、
Ｒ8は、水素原子、Ｃ1〜Ｃ6低級アルキル基、又はＣ1〜Ｃ6低級カルボキシル基を表し、
Ｒ9は、水素原子、Ｃ1〜Ｃ6低級アルキル基、−−ＣＨ2−−ＣＯＯＨ、フェニル基、ベンジル基、又はスルホン酸由来の単位を含むポリマーを表す、
請求項３５に記載のヘアスタイリング装置。
【請求項４４】
前記陰イオン性固定用ポリマーが、
Ａ）アクリル酸又はメタクリル酸若しくはそれらの塩のホモポリマー又はコポリマー、アクリル酸とその塩のコポリマー、アクリルアミドとその塩のコポリマー、及びポリヒドロキシカルボン酸のナトリウム塩と、
Ｂ）任意にポリアルキレングリコールにグラフトされると共に任意に架橋された、アクリル酸又はメタクリル酸とモノエチレン性モノマーとのコポリマー、任意にポリアルキレングリコールにグラフトされると共に任意に架橋され、その鎖にＮ−アルキル化アクリルアミド及び／又はヒドロキシアルキル化アクリルアミド単位を含有する、アクリル酸又はメタクリル酸とモノエチレン性モノマーとのコポリマー、アクリル酸のコポリマー、及びＣ1〜Ｃ4アルキルメタクリレートのコポリマーと、
Ｃ）任意にグラフトされると共に架橋され、クロトン酸由来のコポリマーと、
Ｄ）Ｃ4〜Ｃ8モノ不飽和カルボン酸由来のコポリマー又は無水物由来のコポリマーと、
Ｅ）カルボキシル基を含有するポリアクリルアミドと、
これらの混合物と
から成る群から選択される、請求項４３に記載のヘアスタイリング装置。
【請求項４５】
前記陰イオン性固定用ポリマーが、
ａ）アクリル酸コポリマーと、
ｂ）クロトン酸由来のコポリマーと、
ｃ）マレイン酸、フマル酸、イタコン酸、マレイン酸水素化物、フマル酸水素化物、またはイタコン酸水素化物と、ビニルエステル類、ビニルエーテル類、ビニルハロゲン化物類、フェニルビニル誘導体類、アクリル酸、及びそれらのエステル類とのポリマーと、
ｄ）メタクリル酸コポリマー及びメチルメタクリレートコポリマーと、
ｅ）メタクリル酸及びエチルアクリレートのコポリマーと、
ｆ）ビニルアセテート／クロトン酸コポリマーと、
ｇ）ビニルアセテート／クロトン酸／ポリエチレングリコールターポリマーと、
これらの混合物と
から成る群から選択される、請求項４４に記載のヘアスタイリング装置。
【請求項４６】
前記陰イオン性固定用ポリマーが、ビニルアセテート／ビニル第三級ブチルベンゾエート／クロトン酸ターポリマー、又はクロトン酸／ビニルアセテート／ビニルネオドデカネートターポリマー、及びこれらの混合物から成る群から選択される、請求項４５に記載のヘアスタイリング装置。
【請求項４７】
前記固定用ポリマーが、ポリマー鎖に不規則に配置された単位Ａ及びＢを含有するポリマーから成る群から選択される両性固定用ポリマーであり、
Ａは少なくとも１つの塩基性窒素を含むモノマー由来の単位であると共にＢは１以上のカルボキシル基又はスルホニル基を含有する酸性モノマー由来の単位であるか、又は、
Ａ及びＢは、カルボキシベタイン又はスルホベタインの双性イオン性モノマー由来の基を含むことができる、請求項３５に記載のヘアスタイリング装置。
【請求項４８】
前記両性固定用ポリマーが、
ａ）窒素上でアルキルラジカルと置換したアクリルアミド類又はメタクリルアミド類から成る群から選択される少なくとも１つのモノマーと、
ｂ）１以上の反応性カルボキシル基を含有する少なくとも１つの酸性コモノマーと、
ｃ）少なくとも１つの塩基性コモノマーと
に由来する単位を含有するポリマーである、請求項４７に記載のヘアスタイリング装置。
【請求項４９】
前記両性固定用ポリマーが、
アクリル酸及びメタクリル酸の一級、二級、三級及び四級アミン置換基を含有するエステル類と、
ジメチルアミノエチルメタクリレートとジメチルスルフェート又はジエチルスルフェートとの四級化生成物と
から成る群から選択される、少なくとも１つの塩基性コモノマーを含む、請求項４８に記載のヘアスタイリング装置。
【請求項５０】
前記両性固定用ポリマーが、オクチルアクリルアミド／アクリレート／ブチルアミノエチルメタクリレートコポリマー、又はメチルメタクリレート／メチルジメチルカルボキシメチルアンモニオエチルメタクリレートのコポリマー、及びこれらの混合物から成る群から選択される、請求項４９に記載のヘアスタイリング装置。
【請求項５１】
前記非イオン性固定用ポリマーが、ビニルアセテートホモポリマー、ビニルアセテートのコポリマー、アクリル酸エステルのコポリマー、ビニルアセテートのコポリマー、マレイン酸エステルのコポリマー、ポリ塩化ビニルホモポリマー、ポリエチレンのコポリマー、無水マレイン酸のコポリマー、ポリウレタン類、ポリアミド類、ポリビニルピリドリン（ＰＶＰ）のホモポリマー、ＰＶＰのコポリマー、ビニルアセテートのコポリマー、ヒドロキシアルキルセルロース、及びこれらの混合物から成る群から選択される、請求項３５に記載のヘアスタイリング装置。
【請求項５２】
陽イオン性固定用ポリマーが、ポリマー鎖の一部を形成する又はそこに直接結合した、一級、二級、三級及び／又は四級アミン基を含有するポリマー、及びこれらの混合物から成る群から選択され、
更に、前記陽イオン性固定用ポリマーが、５００〜約５，０００，０００の重量平均分子量を有する、請求項３５に記載のヘアスタイリング装置。
【請求項５３】
（１）アクリル酸エステル、アクリル酸アミド、メタクリル酸エステル又はメタクリル酸アミドに由来し、次の単位の少なくとも１つを含有するホモポリマー又はコポリマーであって、
【化２】
2007521050.tif 000012
式中、
・  Ｒ3は、水素原子又はＣＨ3ラジカルを表し、
・  Ａは、１〜６個の炭素原子の直鎖又は分枝鎖アルキル基、若しくは１〜４個の炭素原子のヒドロキシアルキル基であり、
・  Ｒ4、Ｒ5及びＲ6は、同一又は異なるものであり、１〜１８個の炭素原子を有するアルキル基又はベンジルラジカルを表し、
・  Ｒ1及びＲ2は、同一又は異なるものであり、水素又は１〜６個の炭素原子を有するアルキル基を表し、
・  Ｘは、メトスルホン酸陰イオン、若しくは塩化物又は臭化物のようなハロゲン化物を表し、
（１）のコポリマーは、アクリルアミド類、メタクリルアミド類、ジアセトンアクリルアミド類、窒素上でＣ1〜Ｃ6低級アルキルと置換したアクリルアミド類、及びメタクリルアミド類、アクリル酸又はメタクリル酸若しくはそれらのエステル類、ビニルラクタム類及びビニルエステル類から成る群から選択されてもよい、１以上のモノマー単位を更に含有する、ホモポリマー又はコポリマーと、
（２）四級化された多糖類と、
（３）ビニルピロリドン／ジアルキルアミノアルキルアクリレート又はメタクリレートの四級化コポリマー、ビニルピロリドン／ジアルキルアミノアルキルアクリルアミド又はメタクリルアミドの四級化コポリマー、及びビニルイミダゾールの四級化コポリマーと、
（４）キトサン又はその塩と、
これらの混合物と
から成る群から、
前記陽イオン性固定用ポリマーが選択される、請求項５２に記載のヘアスタイリング装置。
【請求項５４】
前記陽イオン性固定用ポリマーが、アクリルアミドのコポリマー、ジメチルスルフェートで四級化されたジメチルアミノエチルメタクリレートのコポリマー、アクリルアミドのコポリマー、メタクリロイルオキシエチルトリメチルアンモニウムクロライドのコポリマー、アクリルアミドのコポリマー、メタクリロイルオキシエチルトリメチルアンモニウムメトスルフェートのコポリマー、四級化された又は四級化されていないビニルピロリドン／ジアルキルアミノアルキルアクリレート又はメタクリレートのコポリマー、ジメチルアミノエチルメタクリレート／ビニルカプロラクタム／ビニルピロリドンターポリマー、四級化されたビニルピロリドン／ジメチルアミノプロピルメタクリルアミドコポリマー、及びこれらの混合物から成る群から選択される、請求項５３に記載のヘアスタイリング装置。
【請求項５５】
前記毛管が、可撓性材料から構成されるポートを更に含む、請求項１４に記載のヘアスタイリング装置。
【請求項５６】
前記可撓性材料が、ゴム、ネオプレンゴム、ポリオレフィン類及びこれらの混合物から成る群から選択される、請求項５５に記載のヘアスタイリング装置。
【請求項５７】
固定用ポリマー及びキャリアを含む、ヘアケア工程に使用するための物質の組成物であって、
前記組成物は貯蔵器内に放出可能に保持され、
前記貯蔵器は流体不透過性の壁を含み、
前記壁は、前記貯蔵器を取り外し可能にヘアスタイリング装置に取り付けるための、該壁に関連付けられた取り付け手段を有し、
前記貯蔵器は前記組成物を毛髪上に提供するための手段を有し、
前記貯蔵器は、請求項２に記載のヘアスタイリング装置と流体連通している、ヘアケア工程に使用するための物質の組成物。
【請求項５８】
前記貯蔵器が再充填可能である、請求項５７に記載のヘアケア工程に使用するための物質の組成物。
【請求項５９】
前記貯蔵器が再充填不能である、請求項５８に記載のヘアケア工程に使用するための物質の組成物。
【発明の詳細な説明】
【技術分野】
【０００１】
本発明は、ヘアスタイリング装置に関し、特に、固定用スタイリングポリマーを熱及び毛髪立ち上げ機構と組み合わせて使用して、毛髪にボリューム及び立ち上がりを作り出すことが可能な、ヘアスタイリング装置に関する。
【背景技術】
【０００２】
毛髪をスタイリングするためにヘアスタイリング装置を使用することは周知であり、毛髪をカールさせる、真直ぐにする及び整える際に、空気又は熱を用いて仕上がりを改善するための構造を有する、ヘアカーラー、カール用アイロン、及びフラットアイロンなどの装置を提供するために、多くの試みがなされてきた。
【０００３】
毛髪の所望の立ち上がり及びボリュームを得るために、従来の試みでは、ムース、ジェル、及びスプレーなどのヘアスタイリング製品の組み合わせを、ドライヤー、カール用アイロン、又はフラットアイロンなどのヘアスタイリング装置と組み合わせて使用していた。しかしながら、この方法の使用による結果は扱いにくく、結果として、ヘアスタイルは、非常に限定された、一日を通して長持ちしないものになる。
【０００４】
現在は、驚くべきことに、単一のヘアスタイリング装置でこの満たされていない要求を達成できることが見出されている。本発明は、毛髪ストランドを寄せ集めて毛髪の束にする結束手段；結束手段と流体連通すると共に、スタイリング組成物を含む貯蔵器と、前記結束手段に沿って且つ前記結束手段越しに、前記毛髪ストランドを保持し更に整列させる手段を含む、頭皮領域上にある多量の区分けされていない毛髪ストランドを立ち上げるためのヘアスタイリング装置を開示する。
【発明の開示】
【発明が解決しようとする課題】
【０００５】
この方策によって、頭皮に近接して毛髪上に活性物質の薄い層を放出することが可能になり、その結果、ヘアスタイルが一日中長持ちする。この方策によって更に、毛髪の手触りに悪影響をもたらすであろう、スタイリング製品を毛髪全体に過剰に使用することに関連する問題が排除される。本発明のヘアスタイリング装置によって、手触りに対する妥協を最小限に抑える一方で、ユーザが、特定の領域により多量の活性物質を付けて（局部的付着）、立ち上がり及びボリュームの効果をもたらすことが可能になる。
【課題を解決するための手段】
【０００６】
本発明は、毛髪ストランドを寄せ集めて毛髪の束にする結束手段、結束手段と流体連通している、スタイリング組成物を含む貯蔵器及び、前記結束手段に沿って且つ前記結束手段越しに、前記毛髪ストランドを保持し更に整列させる手段を含む、頭皮領域上にある多量の区分けされていない毛髪ストランドを立ち上げるためのヘアスタイリング装置を対象とする。
【発明を実施するための最良の形態】
【０００７】
本明細書は、本発明を特に指摘し明確に請求する請求項をもって結論とするが、本発明は、好ましい実施形態の説明を添付図面と併せ読むことでよりよく理解されると考えられ、添付図面において、同様の参照番号は同様の要素を特定する。
【０００８】
引用されるすべての文献は、関連部分において参考として本明細書に組み込まれるが、いずれの文献の引用も、それが本発明に関する先行技術であることを容認するものと解釈されるべきではない。
【０００９】
特に記載のない限り、すべての比率は重量比である。
【００１０】
特に記される場合を除いて、分量、パーセンテージ、部分、及び割合を包含する全ての量は、「約」という語により加減されるものと理解され、量は有効数字を示すことを意図しない。
【００１１】
特に記される場合を除いて、冠詞「ａ」、「ａｎ」、及び「ｔｈｅ」は、「１以上の」を意味する。
【００１２】
本発明は、本明細書に記載される発明の必須要素及び制限事項、並びに本明細書に記載される追加の又は任意の成分、構成成分、又は制限事項のいずれかを含むことができるか、これらから成ることができるか、又はこれらから本質的に成ることができる。
【００１３】
特に指定のない限り、パーセンテージ、割合及び比率はすべて、本発明の組成物の総重量を基準とする。記載した成分に関するすべてのこのような重量は活性物質の濃度に基づいており、そのため、市販材料に含まれる場合があるキャリア又は副産物を包含しない。本明細書では、特に記載のない限り、「分子量」は重量平均分子量を意味する。
【００１４】
任意に添加してもよいものを包含する本発明の方法の構成成分、並びに調製方法、及び使用方法について以下に詳述する。
【００１５】
本発明の他の利点及び新規な特徴は、本発明を実施するために想到される様々な態様を簡単に説明する以下の詳細な説明から、当業者には明らかになるであろう。明確に理解できるように、本発明では他の異なる態様が可能であり、これらは全て発明の趣旨及び範囲から逸脱しない。従って、図面及び説明は本質的に例示のためのものであり、制限目的のものではない。
【００１６】
次に本発明の様々な代表的実施形態を詳細に参照するが、そのうちのいくつかは添付図面にも示されており、図面全体を通して同様の数字は同じ要素を示す。
【００１７】
図１Ａ、１Ｂ、１Ｃ、２Ａ、２Ｂ、２Ｃ、２Ｄ、及び３は、本発明のヘアスタイリング装置の非限定的な代表的実施形態を表わす。図１Ａ、１Ｂ、１Ｃ、２Ａ、２Ｂ、２Ｃ、２Ｄ、及び３は、装置（１）の概略を明示する。装置（１）は、固化させる手段（４）に接続されるアタッチメント（２）を備える。アタッチメント（２）は、結束手段（１２１）、更なる整列／保持手段（１２２）、及びデリバリーシステム（３）から構成される。デリバリーシステム（３）は、櫛歯アセンブリ（４７）の内部に設置されてもよい。デリバリーシステム（３）は、櫛歯アセンブリ（４７）の上方に配置され、又はそれから外されてもよい。同様に、アタッチメント（２）は、固化させる手段（４）の上方に配置し、それから外すことができる。固化させる手段（４）は、ドライヤー又は熱プレートなどの、スタイリング組成物を固化させるためのあらゆる従来の手段を含んでもよい。固化させる手段（４）がドライヤーである場合、ドライヤーの内部に、空気流装置（５）、ヒータ（６）、及びスイッチ（７）を含んでもよい。固化させる手段（４）は、ドライヤーの末端部の１つに空気入口（８）を備えるドライヤーであってもよい。固化させる手段（４）は、固化させる手段（４）の空気入口（８）に対向する末端部に第１の空気出口（４９）を備えるドライヤーであってもよい。固化させる手段（４）は、固化させる手段（４）の一側面に配置されたスイッチ板（９）と接続されたスイッチ（７）を備えてもよい。スイッチ板（９）が動かされると、スイッチ（７）は、オン位置又はオフ位置に切り換えられてもよい。空気流装置（５）は、モータ（１０）、ファン（１１）、及び空気流調節器（１２）を備えてもよい。スイッチ（７）がオン位置にある場合、モータ（１０）及びヒータ（６）が、外部電力電源からプラグ（１３）及び電源コード（１４）を介してオンにされてもよい。ファン（１１）はモータ（１０）と接続される。モータ（１０）はファン（１１）を回転させてもよい。空気（５０）は、ファン（１１）の回転によって生じてもよい。空気（５０）は、空気入口（８）から中に入り、ファン（１１）及び空気流調節器（１２）を通り抜けて、ヒータ（６）に達してもよい。空気（５０）は、空気流調節器（１２）によって整流される。ヒータ（６）に達してもよい空気（５０）は、ヒータ（６）で加熱される。ヒータ（６）で加熱された空気（５０）は、第１の空気出口（４９）に達してもよい。
【００１８】
図４は、本発明のヘアスタイリング装置の非限定的な代表的実施形態を表わす。図４は、本発明のヘアスタイリング装置に電流を導通させるように構成された概略回路図を表わす。電子機器は、プラグ（Ｐ）、（Ｓ）、（Ｆ）及び（Ｒ）、ダイオード（Ｄ）、モータ（Ｍ）、サーモスタット（Ｔｈ）及びヒータ（Ｈ）から構成される。
【００１９】
（結束手段）
図５Ａ、５Ｂ、５Ｃ、図６Ａ、及び６Ｂは、本発明のヘアスタイリング装置の非限定的な代表的実施形態を表わす。図５Ａ、５Ｂ、及び５Ｃは、装置（１）及び装置（１）を挿入する前に示された毛髪ストランド（１５）を表わす。図６は、毛髪ストランド（１５）に挿入された装置（１）を表わす。本発明の一実施形態では、結束手段（１２１）は櫛歯（１６）から構成されてもよい。櫛歯アセンブリ（４７）は、（図２Ａに示すように）櫛歯（１６）、立ち上げプレート（１７）、レバー（１８）、及び基部（４６）から構成される。櫛歯（１６）は毛髪ストランド（１５）に挿入される。櫛歯（１６）は頭皮（１９）に平行に配置される。櫛歯（１６）は頭皮（１９）に接触してもよい。図６における第１の距離（２０）は、隣接する櫛歯（１６）間の頭皮（１９）領域を決定する。第１の距離（２０）によって決定された領域の毛髪ストランド（１５）は、隣接する櫛歯（１６）間の第２の距離（２１）に集められるか、又は束ねられる。櫛歯（１６）が毛髪ストランド（１５）内に配置されると、第１の距離（２０）内にある毛髪ストランド（１５）が束ねられて、その結果毛髪（１５）に立ち上がりが追加され、またボリュームが追加されてもよい。
【００２０】
（櫛歯）
櫛歯（１６）の高さ（２２）は、毛髪ストランド（１５）に適用される立ち上がり及びボリュームの量を決定してもよい。従って、櫛歯（１６）の高さ（２２）は、毛髪ストランド（１５）に対してユーザが所望してもよい立ち上がり及びボリュームをもたらすように決定される。毛髪ストランド（１５）の束は、隣接する櫛歯（１６）の間で、及び高さ（２２）で作られる。櫛歯（１６）間の第２の距離（２１）は、装置を毛髪ストランド（１５）に挿入するための適当な簡便性を持たせながら、毛髪を適当に束ねるように、適切な距離で設定されてもよい。第２の距離（２１）は、約１．０ｍｍ〜約２．５ｍｍの範囲であってもよい。更なる一実施形態では、第２の距離（２１）は約１．５ｍｍであってもよい。櫛歯（１６）の平坦面の長さ（２３）、及び櫛歯（１６）の両端に配置された櫛歯（１６）の中心間の第３の距離（２４）は、１回の使用サイクルでの有効範囲を決定してもよい。半径２５は、頭皮（１９）のサイズに適合する曲線であってもよい。櫛歯（１６）の鋭角な先端（８８）は、櫛歯（１６）を毛髪ストランド（１５）に容易に挿入する助けとなってもよい。櫛歯先端（８８）のより小さい角度（８７）もまた、櫛歯（１６）を毛髪ストランド（１５）に容易に挿入する助けとなってもよい。櫛歯先端（８８）のより小さい角度（８７）は、約２０°〜約９０°の範囲であってもよい。更なる一実施形態では、櫛歯先端（８８）のより小さい角度（８７）は、約２５°〜約４５°の範囲であってもよい。
【００２１】
（保持及び更なる整列のための手段）
図７Ａ及び７Ｂは、本発明のヘアスタイリング装置の非限定的な代表的実施形態を示す。本発明の一実施形態では、毛髪ストランドを保持し更に整列させる手段（１２２）は、結束手段（１２１）にヒンジ接続されてもよい。本発明の一実施形態では、保持し更に整列させる手段（１２２）は、立ち上げプレート（１７）から構成されてもよい。本発明の一実施形態では、毛髪を保持し更に整列させる動作は、ヘアスタイリング装置から垂直に移動されてもよい立ち上げプレート（１７）によって達成されても、又は、水平に移動されるか若しくは頭皮と平行に移動されてもよい熱プレート（１２８）（図２３Ｃ）によって達成されてもよい。更なる一実施形態では、毛髪ストランドを保持し更に整列させる手段（１２２）は、毛髪の束を頭皮にほぼ直交するように整列させる。図７Ａ及び７Ｂは、立ち上げプレート１７が引き上げられている又は持ち上げられている一実施形態を示す。立ち上げプレート（１７）は、櫛歯（１６）の上方に配置されてもよく、また、図１Ａ、１Ｂ、１Ｃ、及び図３に示すように、櫛歯（１６）と平行である。立ち上げプレート（１７）は、レバー（１８）で装置に接続される。本発明の更なる一実施形態では、保持し更に整列させる手段は、結束手段（１２１）にヒンジ接続されてもよい。立ち上げプレート（１７）は、レバー（１８）が押し下げられていない時に櫛歯（１６）と接触する。立ち上げプレート（１７）は、レバー（１８）が押し下げられた時に、櫛歯（１６）の上で動かされ、毛髪ストランド（１５）を引っ張る。図６Ａ及び６Ｂに示すように、立ち上げプレート（１７）が櫛歯（１６）の周りで動かされていない時、毛髪ストランド（１５）はたわむ。立ち上げプレート（１７）が櫛歯１６の上で動かされた時に、毛髪ストランド（１５）は、立ち上げプレート（１７）によって引っ張られ、真直ぐにされる。
【００２２】
（デリバリーシステム）
デリバリーシステム（３）は、図３に示すように、貯蔵器（２６）、ポンプ（２７）、及び毛管（２８）から構成されてもよい。ポンプ（２７）及び毛管（２８）は、一組、即ちチューブセット（２９）になっていてもよい。チューブセット（２９）は、貯蔵器（２６）の上方に配置され、またそれから外されてもよい。ポンプ（２７）は貯蔵器（２６）と接続される。ホース（３０）は貯蔵器（２６）内に配置されてもよい。スタイリング組成物（３１）は貯蔵器（２６）内に配置されてもよい。貯蔵器（２６）は、結束手段と流体連通していてもよい。ホース（３０）の末端部の１つは、ポンプ（２７）と接続されてもよい。ポンプ（２７）は、もう一方の側で毛管（２８）と接続されてもよい。ホース（３０）の１つの末端部は、スタイリングの主体３０に浸漬していてもよい。ホース（３０）は、スタイリング組成物（３１）の一方の側において重り（３２）を有してもよい。ポンプ（２７）は、ケース（３３）、ピストン（３４）、第１のばね（３５）、シャフト（３６）、第１のボール（３７）、及び第２のボール（３８）を備えてもよい。シャフト（３６）はピストンと接続されてもよい。シャフト（３６）が押されると、ピストン（３４）が第１のばね（３５）を押してもよく、またピストン（３４）はケース（３３）の内部に下がる。シャフト（３６）が解放されると、ピストン（３４）は第１のばね（３５）によって押し上げられてもよい。ピストン（３４）が押し上げられると、毛管（２８）側の第１のボール（３７）が、ケース（３３）のボール（３９）を閉止する。貯蔵器（２６）側の第２のボール（３８）は吸い上げられる。スタイリング組成物（３１）は、ホース（３０）を介して貯蔵器（２６）からケース（３３）内に入る。ピストン（３４）が再び引き上げられると、ケース３３内のスタイリング組成物（３１）は、毛管（２８）に押し出されてもよい。
【００２３】
（毛管の説明）
図３は、本発明のヘアスタイリング装置の非限定的な代表的実施形態を示す。一実施形態では、スタイリング組成物（３１）を毛髪ストランド（１５）に適用するために、アプリケータ手段（１２４）は貯蔵器（２６）と流体連通している。本発明の一実施形態では、アプリケータ手段（１２４）は、スタイリング組成物（３１）を毛髪ストランド（１５）に供給する毛管（２８）から構成されてもよい。駆動手段（１２３）は、アプリケータ手段を介して貯蔵器（２６）からスタイリング組成物を移送する。本発明の更なる一実施形態では、駆動手段（１２３）は、スタイリング組成物（３１）をアプリケーション手段（１２４）に移送するポンプ（２７）から構成されてもよい。図８及び図９は、本実施形態を表す断面図を表わす。毛管（２８）は中空である。毛管（２８）の第１の末端部（４０）は開いていてもよく、第２の末端部（４１）は閉じていてもよい。毛管（２８）は、櫛歯（１６）内部に設置されてもよい。毛管（２８）は、櫛歯（１６）に平行に設置されてもよい。毛管（２８）の第１の末端部（４０）は、ポンプ（２７）であってもよい駆動手段（１２３）と接続される。毛管２８は、毛管（２８）の一側面にスタイリング組成物（３１）の複数の出口（４２）を有する。複数の出口（４２）は毛管（２８）の壁を通る穴である。複数の出口（４２）の直径（４３）は約０．３ｍｍであってもよい。毛管（２８）の内径（４４）は約０．８ｍｍであってもよい。複数の出口（４２）は、毛管（２８）の一側面に列を成して配置されてもよく、若しくは別の実施形態では、複数の出口（４２）は毛管（２８）の両側面に列を成して配置されてもよい。櫛歯（１６）は、毛管（２８）上の複数の出口（４２）と同じ位置に、スタイリング組成物（３１）を含む出口（４５）を備えてもよい。スタイリング組成物（３１）は、ポンプ（２７）によって貯蔵器（２６）から毛管（２８）内に送られる。スタイリング組成物（３１）は、複数の出口（４２）のそれぞれから外に出て、ポンプ（２７）が複数の出口（４２）それぞれにおいてスタイリング組成物（３１）に圧力を印加して、スタイリング組成物（３１）を送り出す。レバー（１８）が押し下げられるにつれて、レバー（１８）がスティック（５１）を押す。レバー（１８）の圧力が解放されるにつれて、スティック（５１）は第２のばね（５２）によって引き上げられる。スティック（５１）は、ポンプ（２７）のシャフト（３６）と接続される。シャフト（３６）は、スティック（５１）と同じ動きをもつ。結果として、ポンプ（２７）はレバー（１８）によって操作されてもよい。本発明の更なる一実施形態では、スタイリング組成物（３１）は、流体不透過性の壁を含む貯蔵器（２６）内に放出可能に保持されてもよい。
【００２４】
ポンプ（２７）が毛管（２８）内に運搬したスタイリング組成物（３１）は、毛管（２８）の複数の出口（４２）から出て、毛髪ストランド（１５）に適用される。レバー（１８）が押し下げられた場合は、立ち上げプレート（１７）が毛髪ストランド（１５）を引っ張って真直ぐにし、スタイリング組成物（３１）は毛髪ストランド（１５）の根元に供給される。高さ（５３）は、毛髪ストランド（１５）がスタイリング組成物（３１）の効果を有し、且つスタイリング組成物（３１）が頭皮（１９）に到達しない距離である。高さ（５３）は、約５ｍｍ〜約２０ｍｍの範囲であってもよい。本発明の更なる一実施形態では、高さ（５３）は約１０ｍｍであってもよい。
【００２５】
（固化させる手段）
固化させる手段（４）で生成された空気（５０）は、櫛歯（１６）に達する。本発明の一実施形態では、スタイリング組成物（３１）を乾燥させ、且つ毛髪ストランド（１５）を整えてもよい固化させる手段（１２５）は、ドライヤー（４）及び櫛歯アセンブリ（４７）から構成されてもよい。空気（５０）は、櫛歯（１６）側面の第２の空気出口（４８）から出て、空気（５０）は毛髪ストランド（１５）に達する。第３の空気出口（５４）は、櫛歯（１６）の根元から櫛歯（１６）の末端部まで作られてもよい。第２の空気出口（４８）は、スタイリング組成物（３１）のための複数の出口（４２）近くに近接する。このようにして、空気（５０）は、毛髪ストランド（１５）上のスタイリング組成物（３１）に達してもよい。第２の空気出口（４８）からの空気（５０）は、毛髪ストランド（１５）上のスタイリング組成物（３１）を乾燥させてもよい。
【００２６】
図３は、本発明のヘアスタイリング装置の非限定的な代表的実施形態を示す。装置（１）は、櫛歯（１６）の基部に第３の空気出口（５４）を備えてもよい。第３の空気出口（５４）からの空気（５０）は、毛髪ストランド（１５）上のスタイリング組成物（３１）を乾燥させる。櫛歯（１６）側面の第２の空気出口（４８）は、毛髪ストランド（１５）によってほぼ覆われてもよく、空気（５０）は櫛歯（１６）の基部にある第３の空気出口（５４）から出て、そのため、加熱された空気（５０）が装置（１）の内部を占めない場合があるので、装置（１）の温度は異常に上昇することがない。
【００２７】
（空気のための追加の櫛歯）
図１０Ａ、１０Ｂ、及び１０Ｃは、本発明のヘアスタイリング装置の非限定的な代表的実施形態を示す。図１０Ａ、１０Ｂ、及び１０Ｃは、空気（５０）のみを含む空気櫛歯（air tines）（５５）を示す。空気櫛歯（５５）は、空気櫛歯（５５）の両側面に第２の空気出口（４８）を備えてもよい。本実施形態では、第２の空気出口（４８）は、スタイリング組成物（３１）が放出される毛髪ストランド（１５）の位置に向かって方向付けられており、スタイリング組成物（３１）は空気（５０）で容易に乾燥される。本発明のこの実施形態では、結束手段（１２１）は、櫛歯（１６）及び空気櫛歯（５５）で構成されてもよい。
【００２８】
（櫛歯の第２の列−保持及び更なる整列のための手段）
図１１Ａ、１１Ｂ、１１Ｃ、及び１１Ｄは、本発明のヘアスタイリング装置の非限定的な代表的実施形態を示す。図１１Ａ、１１Ｂ、１１Ｃ、及び１１Ｄは、櫛歯（１６）の上の第２の櫛歯（５６）を示す。第２の櫛歯（５６）は、櫛歯（１６）に平行であってもよい。第２の櫛歯（５６）は、櫛歯（１６）と水平に隣接してもよい。第２の櫛歯（５６）は、レバー（１８）で装置（１）に接続されてもよい。第２の櫛歯（５６）は、レバー（１８）が押し下げられた時に、櫛歯（１６）の上で動かされ、毛髪ストランド（１５）を引っ張ってもよい。第２の櫛歯（５６）が櫛歯（１６）の上で動かされない時、図６に示すように、毛髪ストランド（１５）がたわんでもよい。第２の櫛歯（５６）が櫛歯（１６）の上で動かされた時に、毛髪ストランド（１５）は、第２の櫛歯（５６）によって引っ張られてもよく、また真直ぐにされてもよい。本実施形態では、保持し更に整列させる手段（１２２）は、第２の櫛歯（５６）を備えてもよい。
【００２９】
（貯蔵器が結束手段に含まれる）
図１２Ａ、１２Ｂ及び１２Ｃは、本発明のヘアスタイリング装置の非限定的な代表的実施形態を示す。図１２Ａ、１２Ｂ及び１２Ｃは、貯蔵器（２６）が櫛歯（１６）に含まれていることを示す。貯蔵器（２６）が櫛歯（１６）の内部に設置されるので、ヘアスタイリング装置のサイズが縮小される。
【００３０】
（使い捨て貯蔵器及び再充填可能な貯蔵器）
図３及び図１３Ａ、１３Ｂ、１３Ｃ、１３Ｄ、１３Ｅ、１３Ｆ、１３Ｇ、１３Ｈ、及び１３Ｊは、本発明のヘアスタイリング装置の非限定的な代表的実施形態を表わす。本実施形態では、デリバリーシステム（３）は貯蔵器（２６）を備えてもよい。図３に示されるように、貯蔵器（２６）は、本発明のヘアスタイリング装置の上方に配置し、またそこから取り外すことができる。本実施形態では、貯蔵器（２６）は、スタイリング組成物（３１）で予め充填され、ヘアスタイリング装置に挿入される。貯蔵器（２６）が空の時、貯蔵器（２６）を取り外して、別の予め充填された貯蔵器（２６）、若しくは、用語を定めたように、使い捨てデリバリーシステム又は再充填不能なデリバリーシステムと交換することができる。
【００３１】
図１３Ａ、１３Ｂ、１３Ｃ、１３Ｄ、１３Ｅ、１３Ｆ、１３Ｇ、１３Ｈ、及び１３Ｊに表わすように、貯蔵器（２６）は、スタイリング組成物（３１）を注入するための第１の入口（５８）を備えてもよく、この際、ヘアスタイリング装置のユーザが、貯蔵器（２６）にスタイリング組成物（３１）を再充填してもよい。スタイリング組成物（３１）は、ボトル（６０）から貯蔵器（２６）内に配置されてもよい。ボトル（６０）のボトル出口（６１）は、第１のパイプ（６２）及び円筒形の壁（６３）を備えてもよい。貯蔵器（２６）の第２の入口（６４）は、表面（６６）の貯蔵器（２６）のへこみ（６５）である。へこみ（６５）の底部（６７）は、１つが底部（６７）中央の円形の穴（６８）であり、他が底部（６７）の周辺に沿った複数の穴（６９）である、開口を備える。貯蔵器（２６）は、貯蔵器（２６）内部のへこみ（６５）と接続されたシリンダ（７０）を備えてもよい。シリンダ（７０）は、シリンダ（７０）の側面に矩形の穴（７１）を備えてもよい。ストッパー（７２）がシリンダ（７０）内部にあってもよい。ストッパー（７２）は、第２のピストン（７３）及びゴム環（７４）を備える。ストッパー（７２）は、シリンダ（７０）内部で動いてもよい。ストッパー（７２）は、第３のばね（７５）によって底部（６７）に対して押圧されてもよい。第２のピストン（７３）は、穴（６９）から突出したリブ（７６）を備えてもよい。ゴム環（７４）は、シリンダ（７０）と第２のピストン（７３）との間を隔離してもよい。第２のピストン（７３）は、第２のピストン（７３）の中央に第２のへこみ（７７）を備えてもよい。壁（６３）がへこみ（６５）内に配置されてもよく、この際、壁（６３）がリブ（７６）を押して、ストッパー（７２）が下がる。壁（６３）が底部（６７）に達した時、ゴム環（７４）は穴（７１）よりも下にあり、穴（７１）が開く。壁（６３）がへこみ（６５）内に配置された時、第１のパイプ（６２）が穴（６８）内に配置される。ボトル（６０）の側面（７８）が押されると、スタイリング組成物（３１）が、第１のパイプ（６２）及び穴（７１）を介して貯蔵器（２６）内に配置される。別の従来のスタイリング組成物ボトルの典型的な出口は、１つのパイプである場合がある。しかしながら、別の従来のスタイリング組成物ボトルの出口がへこみ（６５）内に配置された場合、ストッパー（７２）を押し下げることができないため、穴（７１）は開かない。更に、別の従来のスタイリング組成物ボトルのパイプが穴（６８）内に置かれ、第２のへこみ（７７）が深く、第２のパイプ（７２）が第２のピストン（７３）と接触できないため、ストッパー（７２）を押し下げることができない。貯蔵器（２６）が第１の入口（５８）を有さず、また貯蔵器（２６）が使い捨てである場合、スタイリング組成物（３１）以外のスタイリング組成物を使用できないことがある。本実施形態では、上述の機構によって、スタイリング組成物（３１）以外のスタイリング組成物の使用が防止される。
【００３２】
（櫛歯の下の保持及び更なる整列のための手段）
図１４Ａ、１４Ｂ、１４Ｃ、及び１４Ｄは、本発明のヘアスタイリング装置の非限定的な代表的実施形態を示す。図１４Ａ、１４Ｂ、１４Ｃ、及び１４Ｄは、可動プレート（８０）が櫛歯（１６）の下にある一実施形態を示す。可動プレート（８０）は、スティック（５１）と接続されてもよい。レバー（１８）が押し下げられると、スティック（５１）が押され、可動プレート（８０）は櫛歯（１６）から動かされる。可動プレート（８０）が動かされると、可動プレート（８０）は頭皮（１９）に達し、櫛歯（１６）は上に上がる。レバー（１８）が押し下げられると、櫛歯（１６）が毛髪ストランド（１５）を引っ張る。可動プレート（８０）が櫛歯（１６）から動かされると、毛髪ストランド（１５）は、櫛歯（１６）によって引っ張られて真直ぐにされる。本実施形態では、結束手段（１２１）は櫛歯（１６）を備えてもよく、保持し更に整列させる手段（１２２）もやはり櫛歯（１６）を備えてもよい。
【００３３】
（結束手段頂部からの空気）
図１５Ａ、１５Ｂ、１５Ｃ、及び１５Ｄは、本発明のヘアスタイリング装置の非限定的な代表的実施形態を示す。図１５Ａ、１５Ｂ、１５Ｃ、及び１５Ｄは、空気（５０）が櫛歯（１６）の頂部から分配される一実施形態を示す。立ち上げプレート（１７）は、櫛歯（１６）の上方に配置されてもよい。第４の空気出口（８１）が櫛歯（１６）の基部に設置される。一実施形態では、第４の空気出口（８１）は、櫛歯（１６）と立ち上げプレート（１７）との間にある。空気（５０）は、櫛歯（１６）と立ち上げプレート（１７）との間に作られる空間の間を移動する。空気（５０）は、毛髪ストランド（１５）上のスタイリング組成物（３１）を乾燥させる。第４の空気出口（８１）の面積を拡大することができるため、空気（５０）の量を増大させることができる。
【００３４】
（結束手段底部からの空気）
図１６Ａ及び１６Ｂは、本発明のヘアスタイリング装置の非限定的な代表的実施形態を示す。図１６Ａ及び１６Ｂは、空気（５０）が櫛歯（１６）の底部から分配される一実施形態を示す。可動プレート（８０）は、櫛歯（１６）の下に配置されてもよい。第４の空気出口（８１）が櫛歯（１６）の基部に設置される。一実施形態では、第４の空気出口（８１）は、櫛歯（１６）と可動プレート（８０）との間にある。櫛歯（１６）と可動プレート（８０）との間に作られる空間の間を移動する。空気（５０）は、毛髪ストランド（１５）上のスタイリング組成物（３１）を乾燥させる。第４の空気出口（８１）の面積を拡大することができるため、空気（５０）の量を増大させることができる。本実施形態では、結束手段（１２１）は櫛歯（１６）を備えてもよく、保持し更に整列させる手段（１２２）もやはり櫛歯（１６）を備えてもよい。
【００３５】
（櫛歯の間の立ち上げプレート）
図１７Ａ、１７Ｂ、１７Ｃ、及び１７Ｄは、本発明のヘアスタイリング装置の非限定的な代表的実施形態を示す。図１７Ａ、１７Ｂ、１７Ｃ、及び１７Ｄは、立ち上げプレート（１７）が櫛歯（１６）の間に設置される一実施形態を示す。頭皮（１９）と立ち上げプレート（１７）との間の距離は、立ち上げプレート（１７）が櫛歯（１６）の上方に設置される一実施形態と比べて、低減されてもよい。毛髪ストランド（１５）は、立ち上げプレート（１７）によって引っ張られて真直ぐにされる。頭皮（１９）と立ち上げプレートとの間の距離が低減されるので、本実施形態は、短い毛髪を立ち上げてボリュームをもたせるのに有効な場合がある。
【００３６】
（アプリケータ手段の二重構造）
図１８Ａ、１８Ｂ、及び１８Ｃは、本発明のヘアスタイリング装置の非限定的な代表的実施形態を示す。図１８Ａ、１８Ｂ、及び１８Ｃは、本実施形態における、スタイリング組成物（３１）を放出するための追加のアプリケータ手段（１２４）を示す。追加のアプリケータ手段（１２４）は、チューブ（８６）及びロッド（８２）を備えてもよい。チューブ（８６）は、チューブ（８６）の側面に複数の出口（４２）を備えてもよい。ロッド（８２）はチューブ（８６）内部に配置される。ロッド（８２）は、チューブ（８６）の両側面に溝（８３）を備えてもよい。溝（８３）は、スタイリング組成物（３１）のための複数の出口（４２）内部に位置付けられる。スタイリング組成物（３１）の経路は、溝（８３）とチューブ（８６）の壁とによって作られ、複数の出口（４２）から出る。ポンプ（２７）によって押し出されたスタイリング組成物（３１）は、溝（８３）を通って移動し、複数の出口（４２）から外に出る。複数の出口（４２）がチューブ（８６）の側面に設置され、その数が１超過であるため、アプリケータ手段（４）が毛管（２８）のみから構成される場合、スタイリング組成物（３１）を均一な量及び均一な圧力で複数の出口（４２）それぞれから放出するのが困難なことがある。アプリケータ手段（４）がチューブ（８６）及びロッド（８２）から構成される場合、スタイリング組成物（３１）の１つの経路は、一側面に複数の出口（４２）を有する毛管（２８）と同様の構造体から構成される。本実施形態では、複数の出口（４２）が一側面に設置されるので、スタイリング組成物（３１）は、均一な量及び均一な圧力で放出されてもよい。本実施形態では、チューブ（８６）及びロッド（８２）を備えるヘアスタイリング装置は、一側面に複数の出口（４２）を備えてもよい２つの毛管（２８）を含むヘアスタイリング装置と同様の性能を有してもよく、この際、本実施形態は、２つの毛管（２８）を含む実施形態よりも小型であってもよい。
【００３７】
図１９Ａ、１９Ｂ、１９Ｃ、２０Ａ、２０Ｂ、２０Ｃ、２０Ｄ、２１Ａ、２１Ｂ、２１Ｃ、及び２１Ｄは、本発明のヘアスタイリング装置の非限定的な代表的実施形態を表わす。図１９Ａ、１９Ｂ、１９Ｃ、２０Ａ、２０Ｂ、２０Ｃ、２０Ｄ、２１Ａ、２１Ｂ、２１Ｃ、及び２１Ｄは、第２（９１）を含む一実施形態を表わす。ポンプ（９２）及び第３の入口（９３）は、貯蔵器（９４）と接続されてもよい。貯蔵器（９４）は、可撓性フィルム又は積層体から構成されてもよい。可撓性フィルムは、あらゆる従来の既知のフィルム又は積層体であってもよい。本発明の特定の実施形態では、可撓性フィルムはアルミニウムフィルム又はプラスチックフィルムであってもよい。貯蔵器（９４）は、内部のスタイリング組成物（３１）から構成されてもよい。一実施形態では、貯蔵器（９４）内には空気は存在しない。ボタン（９６）が押されると、ポンプ（９２）が動く。ポンプ（９２）が動くと、ポンプ（９２）は、スタイリング組成物（３１）を貯蔵器（９４）から引き込み、スタイリング組成物（３１）をチューブアセンブリ（１００）内に送る。ポンプ（９２）がスタイリング組成物（３１）を引き込むと、貯蔵器（９４）内の多量のスタイリング組成物（３１）が失われ、貯蔵器（９４）内には空気が存在しないため、貯蔵器（９４）が収縮する。本実施形態では、ポンプ（９２）及び第３の入口（９３）は、常にスタイリング組成物（３１）に浸漬している。第２の装置（９１）がいずれかの配向で使用又は操作される場合、第２の装置（９１）が、スタイリング組成物（３１）を毛髪ストランド（１５）に供給してもよい。ボタン（９６）が押されると、立ち上げプレート（９７）が、ボタン（９６）に接続された第２のレバー（９８）によって持ち上げられてもよい。立ち上げプレート（９７）は、櫛歯（１６）に平行のまま持ち上げられてもよい。立ち上げプレート（９７）は歯（９９）を備えてもよい。立ち上げプレート（９７）の歯（９９）が毛髪ストランド（１５）を捕らえると、毛髪ストランド（１５）が立ち上げプレート（９７）によって立ち上げられる。立ち上げプレート（９７）は櫛歯（１６）に平行のままなので、毛髪ストランド（１５）の高さは、櫛歯（１６）のいずれの位置で均等であってもよい。櫛歯（１６）が立ち上げプレート（９７）と組み合わされている本実施形態では、櫛歯（１６）が立ち上げプレート（９７）の動きを案内してもよい。立ち上げプレート（９７）が持ち上がる際、櫛歯（１６）は頭皮（１９）と接触したままである。立ち上げプレート（９７）が持ち上がる際、櫛歯（１６）が頭皮（１９）と接触したままなので、毛髪ストランド（１５）の束の幅は、一定のままであり、また毛髪ストランド（１５）に立ち上げをもたらすのに有効なサイズのままである。
【００３８】
図２１Ａ、２１Ｂ、２１Ｃ、２１Ｄ、２２Ａ、及び２２Ｂは、本発明のヘアスタイリング装置の非限定的な代表的実施形態を表わす。図２１Ａ、２１Ｂ、２１Ｃ、２１Ｄ、２２Ａ、及び２２Ｂは、チューブアセンブリ（１００）を含む本発明の更なる一実施形態を示す。ロッド（１０２）の溝（１０１）は、特定の位置で分岐する。ポンプ（９２）によって送られるスタイリング組成物（３１）は、溝（１０１）を介してチューブ（８６）の複数の出口（４２）に進む。チューブアセンブリ（１００）の第４の入口（１０３）から複数の出口（４２）それぞれまでの各溝（１０１）の長さは、均等である。チューブアセンブリ（１００）の第４の入口（１０３）から複数の出口（４２）それぞれまでの各溝（１０１）の長さが均等なので、スタイリング組成物（３１）は、複数の出口（４２）それぞれから均等な圧力で押し出される。スタイリング組成物（３１）が複数の出口（４２）のそれぞれから均等な圧力で押し出されるので、スタイリング組成物（３１）は、複数の出口（４２）それぞれから均一な方式で供給される。本実施形態では、アプリケータ手段（１２４）は、ロッド（１０２）及びチューブ（８６）を備えてもよい。スタイリング組成物（３１）を移送する駆動手段（１２３）は、チューブアセンブリ（１００）及びポンプ（９２）を備えてもよい。スタイリング組成物（３１）を乾燥させて毛髪ストランド（１５）を整える固化させる手段（１２５）は、ドライヤー（４）及び櫛歯アセンブリ（１０４）を備える。
【００３９】
図２３Ａ、２３Ｂ、２３Ｃ、及び２３Ｄは、本発明のヘアスタイリング装置の非限定的な代表的実施形態を示す。図２３Ａ、２３Ｂ、２３Ｃ、及び２３Ｄは、第２のレバー（１２６）、シャッター（１２７）、熱プレート（１２８）、ポンプ（１２９）、及び貯蔵器（１３０）を備える、本発明の更なる一実施形態を表わす。第２のレバー（１２６）を作動させることで、毛髪をスタイリングするプロセスを開始することができる。第２のレバー（１２６）は、作動すると、シャッター（１２７）の開閉を調節することができる。更に、第２のレバー（１２６）は、作動すると、ポンプ（１２９）を始動させてもよい。第２のレバー（１２６）は、作動すると、熱プレート（１２８）が挟む動作をするように動かしてもよい。シャッター（１２７）は、毛管（１３２）の両側に配置されてスタイリング組成物の乾燥を防いでもよいポート（１３１）を閉じてもよい。すべてのポート（１３１）は、第２のレバー（１２６）が作動した時に開いてもよい。第２のレバー（１２６）が作動していない場合、シャッター（１２７）はポート（１３１）を閉じてもよく、ポート（１３１）が閉じている時には、スタイリング組成物が空気に暴露される可能性はなく、スタイリング組成物は、乾燥することもポート（１３１）を詰まらせることもない。更なる一実施形態では、ポート（１３１）は、ネオプレンゴム又は可撓性材料から作製されてもよく、シャッター（１２７）がポート（１３１）全体を開閉する際に、存在し得るスタイリング組成物の蓄積物を取り除く又は分散させるために、容易に変形されてもよい。可撓性材料は、ポリオレフィン類又はゴムなどの、あらゆる既知の従来の可撓性材料から作られてもよい。シャッター（１２７）は、熱プレート（１２８）によって対向する側から押される毛髪を保持してもよい。熱プレート（１２８）は、毛髪と接触して、スタイリング組成物を乾燥させてもよい。熱プレート（１２８）は、櫛歯（１３３）内部に配置されてもよく、第２のレバー（１２６）が作動された時に、櫛歯（１３３）の間に挿入された毛髪と接触してもよい。本発明の一実施形態では、保持し更に整列させる手段（１２２）は、熱プレート（１２８）から構成されてもよい。毛髪を保持し更に整列させる動作は、水平に移動される又は頭皮と平行に移動される熱プレート（１２８）によって達成されてもよい。ポンプ（１２９）は第２のレバー（１２６）に接続される。ポンプ（１２９）は、スタイリング組成物を貯蔵器（１３０）からポートに放出し、スタイリング組成物をポートから毛髪に放出するための圧力を生成してもよい。ポンプ（１２９）は、第２のレバー（１２６）が作動された時に、適切な量のスタイリング組成物を供給してもよい。第２のレバー（１２６）が作動されると、シャッター（１２７）が動いてポート（１３１）を開く。ポンプ（１２９）は、スタイリング組成物を貯蔵器（１３０）から各ポート（１３１）に放出してもよい。第２のレバーが解放されると、シャッター（１２７）が反対方向に動いて各ポート（１３１）を閉じてもよく、熱プレート（１２８）は毛髪を解放する。貯蔵器（１３０）はスタイリング組成物を含んでもよい。貯蔵器（１３０）の筐体は、スタイリング組成物を放出することによって負の圧力を生成しないように変形されてもよい。スタイリング組成物のみが、貯蔵器（１３０）内に保存されてもよい。ポンプ（１２９）及び貯蔵器（１３０）は、互いに対してのみ接続し、従ってスタイリング液又はいずれか他の化学物質の差し替え品を受入れることができないように、特異的であってもよい。本実施形態では、スタイリング組成物を乾燥させ、及び毛髪ストランドを整える固化させる手段は、熱プレート（１２８）を備える。デリバリーシステムは、貯蔵器（１３０）及びポンプ（１２９）から構成されてもよい。更に、スタイリング組成物を移送する駆動手段は、ポンプ（１２９）を備えてもよい。更に、結束手段（１２１）は櫛歯（１３３）から構成されてもよい。
【００４０】
（スタイリング組成物）
任意に添加してもよいものを含む、本発明に使用される活性物質及び組成物の構成成分、並びに調製方法及び使用方法を以下に詳述する。本発明のスタイリング組成物は、毛髪をまとめることができる物質から構成されてもよい。本発明のスタイリング組成物の構成成分は、以下に記載され説明される次の物質のいずれかを、単独で又は組み合わせて包含してもよい。
【００４１】
スタイリング効果をもたらすことが知られているあらゆる固定用ポリマーを使用することができる。具体的には、陰イオン性ポリマー、陽イオン性ポリマー、両性ポリマー及び非イオン性ポリマー、並びにこれらの混合物から選択される、固定用ポリマーを使用することができる。固定用ポリマーは、可溶化された形態、又は固体ポリマー粒子が分散した形態で、使用されてもよい。
【００４２】
（陽イオン性ポリマー）
本発明にしたがって使用できる陽イオン性固定用ポリマーは、好ましくは、ポリマー鎖の一部を形成する、又はそこに直接結合される一級、二級、三級及び／又は四級アミン基を含有し、５００〜約５，０００，０００、好ましくは１０００〜３，０００，０００、より好ましくは１０，０００〜１，０００，０００の重量平均分子量を有するポリマーから選択される。
【００４３】
本願で対象とするポリマーは：
（２）アクリル酸エステル又はアクリル酸アミドメタクリル酸エステル又はメタクリル酸アミドに由来し、次の単位の少なくとも１つを含有するホモポリマー又はコポリマーであって、
【００４４】
【化１】
2007521050.tif 000003
式中、
・  Ｒ3は、水素原子又はＣＨ3ラジカルを表し、
・  Ａは、１〜６個の炭素原子の直鎖又は分枝鎖アルキル基若しくは１〜４個の炭素原子のヒドロキシアルキル基であり、
・  Ｒ4、Ｒ5、及びＲ6は、同一又は異なるものであり、１〜１８個の炭素原子を有するアルキル基又はベンジルラジカルを表し、
・  Ｒ1及びＲ2は、同一又は異なるものであり、水素又は１〜６個の炭素原子を有するアルキル基を表し、
・  Ｘは、メトスルフェート陰イオン若しくは塩化物又は臭化物のようなハロゲン化物を表す、
群（１）のコポリマーはまた、アクリルアミド類、メタクリルアミド類、ジアセトンアクリルアミド類、窒素上でＣ1〜Ｃ6低級アルキルと置換したアクリルアミド類及びメタクリルアミド類、アクリル酸又はメタクリル酸若しくはそれらのエステル類、ビニルピロリドン又はビニルカプロラクタムなどのビニルラクタム類、及びビニルエステル類の群から選択されてもよい、１以上のモノマー単位を含有する。群番号１に基づく好ましいいくつかのポリマーは：ＩＳＰからのＧＡＦＱＵＡＴ  ７３４、ＧＡＦＱＵＡＴ  ７５５、ＣＯＰＯＬＹＭＥＲ  ８４５、９５８及び９３７などの、四級化された又は四級化されていないビニルピロリドン／ジアルキルアミノアルキルアクリレート又はメタクリレートコポリマー；ジメチルアミノエチル；ＩＳＰからのＧＡＦＦＩＸ  ＶＣ  ７１３及びＡＣＰ−１０１８などの、メタクリレート／−ビニルカプロラクタム／ビニルピロリドンターポリマー；並びに、ＩＳＰからのＧＡＦＱＵＡＴ  ＨＳ  １００などの、四級化されたビニルピロリドン／ジメチルアミノプロピルメタクリルアミドコポリマーである。
【００４５】
（３）四級アンモニウムの形態の水溶性モノマーでグラフトされたセルロース誘導体類、特に、メタクリロイル−エチルトリメチルアンモニウム、メタクリルアミドプロピルトリメチルアンモニウム、又はジメチルジアリルアンモニウムの塩でグラフトされた、ヒドロキシメチルセルロース、ヒドロキシエチルセルロース及びヒドロキシプロピルセルロースなどの、ヒドロキシアルキルセルロース類、から好ましくは選択される、セルロースなどの四級化された多糖類。これらは、ナショナルスターチ社（National Starch）による「セルクアット（Celquat）Ｌ  ２００」及び「セルクアット（Celquat）Ｈ  １００」として入手できる。これらはまた、ポリグアテルニウム（Polyguaternium）４として既知である。陽イオン性多糖類が、トリメチルアンモニウム基で置換したエポキシと反応したヒドロキシエチルセルロースを含有するセルロースエーテルである場合、これらは、アマコール（Amerchol）による「ＪＲ  ４００」、「ＪＲ  １２５」、「ＪＲ  ３０Ｍ」、「ＬＲ  ４００」、及び「ＬＲ  ３０Ｍ」として入手可能である。
【００４６】
（３）ビニルピロリドン／ジアルキルアミノアルキルアクリレート又はメタクリレートの四級化コポリマー、ポリクアテルニウム１１などのビニルピロリドン／ジアルキルアミノアルキルアクリルアミド又はメタクリルアミドの四級化コポリマー、ビニルイミダゾールの四級化コポリマー、
（４）キトサン類及びそれらの塩、特に、キトサンアセテート、ラクテート、グルタメート、グルコネート又はピロリドンカルボキシレート。
【００４７】
（陰イオン性ポリマー）
好ましくは使用される陰イオン性固定用ポリマーは、カルボン酸、スルホン酸又はリン酸由来の基を含有する、５００〜５，０００，０００、好ましくは１０００〜３，０００，０００、より好ましくは１０，０００〜１，０００，０００の重量平均分子量を有するポリマーである。
【００４８】
Ｉ．カルボキシル基は、式（Ａ１）に対応するものなどの、不飽和モノ又はジカルボン酸モノマーによって提供される：
【００４９】
【化２】
2007521050.tif 000004
式中、ｎは１〜１０の整数であり、
Ａ1はメチレン基を表し、不飽和基の炭素原子に、又はｎが１超過の場合に、酸素又はイオウなどのヘテロ原子を介して隣接するメチレン基に任意に結合し、
Ｒ7は、水素原子、フェニル基又はベンジル基を表し、
Ｒ8は、水素原子、Ｃ1〜Ｃ6低級アルキル基又はＣ1〜Ｃ6低級カルボキシル基を表し、
Ｒ9は、水素原子、Ｃ1〜Ｃ6低アルキル基、−−ＣＨ2−−ＣＯＯＨ、フェニル基ベンジル基を表す。
【００５０】
低級アルキルラジカルは、好ましくは、１〜６個の炭素原子を有する基、具体的にはメチル及びエチルを意味する。
【００５１】
カルボキシル基を含有する好ましい陰イオン性固定用ポリマーは：ＢＡＳＦによるＵＬＴＲＡＨＯＬＤなどの、アクリル酸又はメタクリル酸若しくは塩のホモポリマー又はコポリマー、並びに、アクリル酸及びアクリルアミド及び／又はポリヒドロキシカルボン酸のコポリマー；エチレン、スチレン、ビニルエステル類、アクリル酸又はメタクリル酸のエステル類などのモノエチレン性モノマーを有するアクリル酸又はメタクリル酸のコポリマーである。アクリル酸及びＣ1〜Ｃ4アルキルメタクリレートのコポリマー、ビニルピロリドンのターポリマー、アクリル酸のターポリマー及びＣ1〜Ｃ20アルキルメタクリレート、例えばＩＳＰによるＡＣＲＹＬＩＤＯＮ  ＬＭなどのラウリルメタクリレートのターポリマー、並びに、ＢＡＳＦによるＬＵＶＩＭＥＲ  ＩＯＯＰなどのメタクリル酸／エチルアクリレート／第三級−ブチルアクリレートターポリマー；ナショナルスターチ社（National Starch）によって販売される樹脂２８−２９−３０−２６−１３−１４及び２８−１３−１０などの、クロトン酸由来のコポリマー、及びＢＡＳＦによって「ＬＵＶＩＳＥＴ  ＣＡ  ６６」の名称で販売されるビニルアセテート／クロトン酸（９０／１０）コポリマー；Ｃ4〜Ｃ8モノ不飽和カルボン酸又は無水物由来のコポリマー；及びカルボキシル基を含有するポリアクリルアミド類もまた、好ましくは言及されてもよい。
【００５２】
ＩＩ．スルホニル基を含むポリマーは、ビニルスルホン単位、スチレンスルホン単位、ナフタレンスルホン単位、又はアクリルアミドアルキルスルホン単位を含有するポリマーである。これらのポリマーは、好ましくは：約１０００〜１００，０００の重量平均分子量を有するポリビニルスルホン酸塩、及び、アクリル酸又はメタクリル酸及びそれらのエステル類、並びにアクリルアミド及びその誘導体類、ビニルエステル類及びビニルピロリドンなどの不飽和コモノマーを有するコポリマー；ナショナルスターチ社（National Starch）によるＦＬＥＸＡＮ  ５００及びＦＬＥＸＡＮ  １３０などの、約５００，０００及び約１００，０００の重量平均分子量を有するポリスチレンスルホン酸塩及びナトリウム塩；並びに、ポリアクリルアミドスルホン酸塩、より具体的にはポリアクリルアミドエチルプロパンスルホン酸、から選択されてもよい。
【００５３】
陰イオン性固定用ポリマーは、好ましくは、ＢＡＳＦによってＵＬＴＲＡＨＯＬＤ  ＳＴＲＯＮＧの名称で販売される、アクリル酸／エチルアクリレート／Ｎ−第三級−ブチルアクリルアミドターポリマーなどのアクリル酸コポリマー、ナショナルスターチ社（National Starch）によってＲＥＳＩＮ  ２８−２９−３０の名称で販売される、ビニルアセテート／ビニル第三級ブチルベンゾエート／クロトン酸ターポリマー及びクロトン酸／ビニルアセテート／ビニルネオドデカノエートターポリマーなどの、クロトン酸由来のコポリマー、から選択される。
【００５４】
（両性ポリマー）
両性固定用ポリマーは、ポリマー鎖内に不規則に配置される単位Ａ及びＢを含有するポリマーから選択されてもよく、Ａは少なくとも１つの塩基性窒素原子を含有するモノマー由来の単位を表し、Ｂは１以上のカルボキシル基又はスルホニル基を含有する酸性モノマー由来の単位を表し、若しくは、Ａ及びＢは、カルボキシベタイン又はスルホベタインの双性イオン性モノマー由来の基を表すことができる。上述の定義に対応するより特に好ましい両性固定用ポリマーは、次のポリマーから選択される：
（１）カルボキシル基、より具体的には、アクリル酸、メタクリル酸、マレイン酸又はα−クロロアクリル酸などを有するビニル化合物由来のモノマー、及び、少なくとも１つの塩基性原子、より具体的には、ジアルキルアミノアルキルメタクリレート及びアクリレート、ジアルキルアミノアルキルメタクリルアミド及びアクリルアミドなどを含有する置換ビニル化合物由来の塩基性モノマーの共重合によって生じるポリマー。
【００５５】
（２）次のものに由来する単位を含有するポリマー：
（ａ）窒素上でアルキルラジカルと置換したアクリルアミド又はメタクリルアミドから選択される、少なくとも１つのモノマー。本発明にしたがってより特に好ましいＮ−置換アクリルアミド又はメタクリルアミドは、アルキルラジカルが２〜１２個の炭素原子を含有する基、より具体的には、Ｎ−エチルアクリルアミド、Ｎ−第三級−ブチルアクリルアミド、Ｎ−第三級−オクチルアクリルアミド、Ｎ−オクチルアクリルアミド、Ｎ−デシルアクリルアミド及びＮ−ドデシルアクリルアミド、並びに対応するメタクリルアミド類である。
【００５６】
（ｂ）１以上の反応性カルボキシル基を含有する少なくとも１つの酸性コモノマー。酸性コモノマーは、より好ましくは、アクリル酸、メタクリル酸、クロトン酸、イタコン酸、マレイン酸及びフマル酸、並びに１〜４個の炭素原子を有する、マレイン酸又はフマル酸若しくは無水物のアルキルモノエステル類から選択される。
【００５７】
（ｃ）アクリル酸及びメタクリル酸の一級アミン置換基、二級アミン置換基、三級アミン置換基、及び四級アミン置換基を含有するエステル類、及びジメチルアミノエチルメタクリレートとジメチルスルフェート、又はジエチルスルフェートとの四級化生成物などの、少なくとも１つの塩基性コモノマー。好ましい塩基性コモノマーは、アミノエチル、ブチルアミノエチル、Ｎ−Ｎ’−ジメチルアミノエチル又はＮ−第三級−ブチルアミノエチルメタクリレートである。
【００５８】
このタイプを代表するコポリマーは、ナショナルスターチ社（National Starch）によってＡＭＰＨＯＭＥＲ又はＬＯＶＯＣＲＹＬ  ４７の名称で販売される製品などの、オクチルアクリルアミド／アクリレート／ブチルアミノエチルメタクリレートコポリマーである。
【００５９】
（３）式（ＡＭ４）の双性イオン性単位を含有するポリマー：
【００６０】
【化３】
2007521050.tif 000005
式中、Ｒ11は、アクリレート基、メタクリレート基、アクリルアミド基、又はメタクリルアミド基などの、重合可能な不飽和基を表し、ｙ及びｚは１〜３の整数を表し、Ｒ12及びＲ13は、同一又は異なるものであり、水素原子、メチル、エチル、又はプロピルを表し、Ｒ14及びＲ15は、同一又は異なるものであり、水素原子又はアルキルラジカルを表し、Ｒ14とＲ15の炭素原子の合計は１０を越えない。
【００６１】
このような単位を含むポリマーは、ジメチル又はジエチルアミノエチルアクリレート又はメタクリレート若しくはアルキルアクリレート又はメタクリレート、アクリルアミド又はメタクリルアミド若しくはビニルアセテートなどの、非双性イオン性モノマー由来の単位も含有することができる。
【００６２】
例示のため、クラリアント（Clariant）によるＤＩＡＦＯＲＭＥＲ  Ｚ３０１などの、メチルメタクリレート／メチルジメチルカルボキシメチルアンモニオエチルメタクリレートのコポリマーが、好ましくは言及されてもよい。
【００６３】
（４）Ｎ−カルボキシ−メチルキトサン又はＮ−カルボキシブチルキトサンなどの、キトサン由来のポリマー及びキトサンのＮ−カルボキシアルキル化に由来するポリマー。
【００６４】
（５）Ｎ，Ｎ−ジメチルアミノプロピルアミンなどのＮ，Ｎ−ジアルキルアミノアルキルアミンとの半アミド化、又はＮ，Ｎ−ジアルカノールアミンとの半エステル化によって部分的に変性された（Ｃ1〜Ｃ5）アルキルビニルエーテル／無水マレイン酸のコポリマー。これらのコポリマーは、ビニルカプロラクタムなどの他のビニルモノマーも含有してもよい。
【００６５】
本発明にしたがって特に好ましい両性固定用ポリマーは、ＡＭＰＨＯＭＥＲ、ＡＭＰＨＯＭＥＲ  ＬＶ  ７１又はＬＯＶＯＣＲＹＬ  ４７ナショナルスターチ社（National Starch）などの、ＣＴＦＡ名がオクチルアクリルアミド／アクリレート／ブチルアミノエチルメタクリレートコポリマーであるコポリマーなどの群（３）のもの、及び、メチルメタクリレート／メチルジメチルカルボキシメチルアンモニオエチルメタクリレートのコポリマー、クラリアント（Clariant）によるＤＩＡＦＯＲＭＡＲ  Ｚ３０１などの群（４）のものである。
【００６６】
（非イオン性ポリマー）
非イオン性固定用ポリマーは、次から選択される
・  ビニルアセテートホモポリマー、
・  ローヌ・プーラン（Rhone-Poulenc）によるＲＨＯＤＯＰＡＳ  ＡＤ  ３１０などの、ビニルアセテートのコポリマー及びアクリル酸エステルのコポリマー、
・  ヘキスト（Hoechst）によるＡＰＰＲＥＴＡＮ  ＭＢ  ＥＸＴＲＡなどの、ビニルアセテートのコポリマー及びマレイン酸エステルのコポリマー、
・  ポリ塩化ビニルホモポリマー、
・  ポリエチレンのコポリマー及び無水マレイン酸のコポリマー、
・  ポリウレタン類、
・  ポリビニルピリドリン（pyrridoline）（ＰＶＰ）のホモポリマー、
・  ＰＶＰのコポリマー、及びＢＡＳＦによるＬＵＶＩＳＫＯＬ  ＶＡ  ６４粉末などのビニルアセテートのコポリマー。
・  ヒドロキシアルキルセルロースは、例えば、ヒドロキシエチルセルロース、一般に化粧品に使用されるセルロースエーテル類、グアーガム類、カロブガム類によって言及されてもよい。
【００６７】
非イオン性ポリマーのアルキルラジカルは、別に記載される場合を除いて、１〜６個の炭素原子を有する。
【００６８】
（グラフト化シリコーンタイプのポリマー）
ポリシロキサン部分及び非シリコーン有機鎖から成る部分を含み、２つの部分の一方がポリマーの主鎖を構成し、他方が前記主鎖上にグラフトされている、グラフト化シリコーンタイプの固定用ポリマーを使用することも可能である。これらのポリマーは、好ましくは陰イオン性である。
【００６９】
このようなポリマーは、例えば、次のものから成るモノマー混合物で開始されるラジカル重合によって得られるコポリマーである
・  （ａ）５０〜９０重量％の第三級−ブチルアクリレート、
・  （ｂ）０〜４０重量％のアクリル酸、
・  （ｃ）５〜４０重量％の次式のシリコーンマクロマー、
【００７０】
【化４】
2007521050.tif 000006
式中、ｖは５〜７００の数値であり；重量％は、モノマーの総重量に対して算出される。
【００７１】
（濃度）
１つ又は複数の固定用ポリマーは、例えば、組成物の０．１重量％〜２０重量％の濃度、好ましくは０．５重量％〜１０重量％の濃度、より好ましくは１重量％〜５重量％で存在する。
【００７２】
（揮発性キャリア）
本発明では、液体キャリアが、上述のスタイリング組成物を可溶化する又は分散させる助けとなる場合がある。液体キャリアは、選択されたスタイリング組成物が選択された液体キャリア中で十分に相溶性／分散性である場合に、１以上の液体キャリアを含むことができる。
【００７３】
組成物中における液体キャリアの総濃度は、選択された液体キャリアの種類、液体キャリアと組み合わせて使用されるスタイリング組成物の種類、及び選択された液体キャリア中での選択されたスタイリング組成物の溶解度特性などによって変わる。好ましい液体キャリアの総濃度は、組成物の約８０重量％〜約９９．９重量％、好ましくは約９０重量％〜約９９．５重量％、より好ましくは約９５重量％〜約９９重量％の範囲である。
【００７４】
本発明の組成物に使用するのに好適な液体キャリアは、揮発性液体キャリア物質である。この文脈において、「揮発性」という用語は、約２６０℃未満、好ましくは約５０℃〜約２６０℃、より好ましくは約６０℃〜約１５０℃（約１気圧で）の沸点を有する物質を指す。
【００７５】
揮発性液体キャリアの非限定例としては、水、Ｃ1〜Ｃ6アルカノール類などの有機溶媒、及びこれらの組み合わせが挙げられる。好適なＣ1〜Ｃ6アルカノール類の具体例としては、エタノール、ｎ−プロパノール、イソプロパノール、ｎ−ブタノール、アミルアルコール、及びこれらの混合物が挙げられるが、これらに限定されない。好ましいＣ1〜Ｃ6アルカノール類としては、エタノール、イソプロパノール、及びこれらの混合物などの、Ｃ2〜Ｃ4の一価アルコール類が挙げられる。水は好ましい揮発性液体キャリアである。
【００７６】
（中和）
陰イオン性又は両性固定用ポリマーは、必要であれば、部分的に又は完全に中和されてもよい。中和剤は、例えば、水酸化ナトリウム、水酸化カリウム、２−アミノ−２−メチル−１−プロパノール、モノエタノールアミン、トリエタノールアミン又はトリイソプロパノールアミン、及び、塩酸又はクエン酸などの無機酸又は有機酸である。
【００７７】
（可塑剤）
本発明による組成物は、付着した被膜形成ポリマーの適用後及び乾燥後の機械的特性及び毛髪への付着性を改善するために、少なくとも１つの可塑剤を包含することができる。本発明にしたがって使用してもよいいくつかの可塑剤は、
・  ジエチレングリコールエチルエーテル、ジエチレングリコールメチルエーテル、ジエチレングリコールブチルエーテル、ジエチレングリコールヘキシルエーテル
・  エチレングリコールエチルエーテル、エチレングリコールブチルエーテル、エチレングリコールヘキシルエーテル、
・  プロピレングリコール誘導体類、具体的には、プロピレングリコールフェニルエーテル、プロピレングリコールジアセテート、ジプロピレングリコールブチルエーテル又はトリプロピレングリコールブチルエーテル
・  プロピレングリコールメチルエーテル、ジプロピレングリコールメチルエーテル、及びトリプロピレングリコールメチルエーテル。
・  １，３−ブチレングリコール
・  フタル酸ジエチル及びアジピン酸ジエチル、フタル酸ジブチル、アジピン酸ジブチル、及びフタル酸ジイソプロピル及びアジピン酸ジイソプロピル
・  酒石酸ジエチル及び酒石酸ジブチル
・  リン酸ジエチル、リン酸ジブチル及びリン酸ジ（２−エチルヘキシル）
・  グリセリルジアセテート（ジアセチン）及びグリセリルトリアセテート（トリアセチン）などの、グリセロールエステル類。
【００７８】
少なくとも１つの可塑剤は、より好ましくは親水性又は水溶性のものから選択される。少なくとも１つの可塑剤は、被膜形成ポリマーの重量に対して、優先的に０〜２０重量％の範囲の割合で存在する。
【００７９】
本発明の更なる一実施形態では、ヘアケア工程に使用するための物質の組成物は固定用ポリマー及びキャリアを含み、組成物は放出可能に貯蔵器内に保持され、貯蔵器は流体不透過性の壁を含み、壁は、貯蔵器をヘアスタイリング装置に取り外し可能に取り付けるための該壁に関連付けられた取り付け手段を有し、貯蔵器は組成物を毛髪に提供するための手段を有し、貯蔵器はヘアスタイリング装置と流体連通している。
【００８０】
（任意成分）
上述の構成成分に加えて、本発明の組成物は、任意成分が物理的及び化学的に上述の構成成分と適合性をもつか、又はそうでなければ過度に製品の安定性、審美性又は性能を損なわない場合に、ヘアケア製品又はパーソナルケア製品に用いることが知られているか、又はそうでなければ用いるのに有効な１以上の任意成分を更に含んでもよい。このような任意成分の非限定例は、「国際化粧品成分事典（International Cosmetic Ingredient Dictionary）」、第５版（１９９３年）、及び「ＣＴＦＡ化粧品成分ハンドブック（Cosmetic Ingredient Handbook）」、第２版（１９９２年）に開示されており、これらは共に、全体をそのまま本明細書に参考として組み込まれる。
【００８１】
本発明の組成物は、乳化剤類、界面活性剤類、コンディショニング活性物質類（保湿剤類、皮膚軟化剤類）、日焼け止め剤類、抗フリーラジカル剤類、金属イオン封鎖剤類、酸化防止剤類、保存剤類、酸性化又は塩基性化剤類、芳香剤類、色素類、変性又は非変性不揮発性シリコーン類、還元剤類などの、化粧品分野で一般的な補助剤を含有することができる。これらの様々な補助剤類の量は、考慮される分野において通常使用される量である。
【００８２】
本発明は、一部の実施形態において、ヘアケア製品又はパーソナルケア製品に用いられることが知られているか、又はそうでなければ用いるのに有効な追加の任意成分を更に含んでもよい。このような任意成分の濃度は、通常、組成物の０〜約２５重量％、より典型的には約０．０５重量％〜約２５重量％、更により典型的には約０．１重量％〜約１５重量％の範囲である。このような任意成分はまた、本明細書に記載される必須成分と物理的及び化学的に適合性をもつべきであり、そうでなければ過度に製品の安定性、審美性、又は性能を損なうべきではない。
【００８３】
（製造方法）
本発明の組成物は、結果として得られる組成物が本明細書に記載される優れたスタイリング効果をもたらすのであれば、組成物を提供するのに好適なあらゆる既知の、又はそうでなければ有効な技術によって調製されてもよい。本発明の実施形態を調製する方法は、従来の配合及び混合技術を包含する。
【００８４】
本発明のヘアスタイリング装置は、本明細書に記載される優れたスタイリング効果をもたらす装置を提供するのに好適な、あらゆる既知の、又はそうでなければ有効な技術によって調製されてもよい。本発明の実施形態を調製する方法は、従来の製造方法を包含する。本発明の更なる一実施形態として、ヘアスタイリング装置の製造プロセスで使用してもよい材料としては、これらに限定されないが、耐熱性プラスチックであるＰＥＴ（ＰＥＴは、例えば外部ハウジングに使用してもよい）、耐熱性プラスチック及び透明プラスチックであるＰＣ（ＰＣは、例えば貯蔵器ケースに使用してもよい）、耐熱性プラスチック及び耐薬品性プラスチックであるＰＰＳ（ＰＰＳは、例えばチャンバケースに使用してもよい）、及び耐衝撃性プラスチックであるＡＢＳ（ＡＢＳは、例えば装置の外部部品に使用してもよい）が挙げられる。当該技術分野で既知のように、耐熱性に関して、ＰＰＳはプラスチックでは最も高い耐熱性を有し、耐熱性が高い順にＰＰＳ＞ＰＥＴ＞ＰＣ＞ＡＢＳである。本発明の実施形態は、必要に応じて、適切で好適なプラスチックを使用することができる。
【００８５】
本発明のヘアスタイリング装置の非限定的な代表的実施形態は、長さが約１５０ｍｍ〜約４００ｍｍ、把持手段までの高さが約１０ｍｍ〜約８０ｍｍ、及び幅が約２０ｍｍ〜約１００ｍｍであってもよいヘアスタイリング装置を備えてもよい。
【００８６】
（使用方法）
本発明は、頭皮領域上の区分けされていない多量の毛髪ストランド（stand）に立ち上げ及びボリュームをもたらす方法を含み、この際、立ち上げられる毛髪は、毛髪ストランドを集めて毛髪の束にしてもよい結束手段に通され、結束手段と流体連通しているデリバリーシステムはスタイリング組成物を毛髪ストランドに提供してもよく、固化させる手段は、スタイリング組成物を固めるために空気供給源又は熱プレートを提供してもよい。
【００８７】
（例）
以下の実施例は、本発明の範囲内にある実施形態を更に記載し実証する。これらの実施例は、単に説明目的で与えられるにすぎず、本発明の趣旨及び範囲から逸脱することなく多くの変形形態が可能であるため、本発明を限定するものと解釈されるべきではない。例示する濃度は全て、特に指定のない限り、重量パーセントである。
【実施例】
【００８８】
【表１】
2007521050.tif 000007
（１）ＢＡＳＦからのルビスコル（Luviscol）ＶＡ  ７３Ｗ（５０％活性）
（２）ＢＡＳＦからのルビセット（Luviset）ＰＵＲ（３０％活性）
（３）ＢＡＳＦからのルビテック（Luvitec）ＶＣＡＰ（３０％活性）
（４）アルキミカ（Archimica）からのシルケア（Silcare）４１Ｍ１０
【００８９】
【表２】
2007521050.tif 000008
（１）ＣＡＳ＃９００３−３９−８
（２）ＢＡＳＦからのルビテック（Luvitec）ＶＣＡＰ（３０％活性）
（３）ＣＡＳ＃９００５−６４−６
（４）ＣＡＳ＃６４４０−５８−０
（５）ＣＡＳ＃９００５−６５−６
【００９０】
実施例ＸＩ〜ＸＶについては、主要ミックスの構成成分を、それらが十分に分散するまで混合する。別個の容器で、プレミックスの構成成分を混合する。プレミックスを主要ミックスに添加する。
【００９１】
【表３】
2007521050.tif 000009
コポリマーＩ：ポリ［アクリル酸ｔ−ブチル／アクリル酸／ポリジメチルシロキサンマクロモノマー］６０／２０／２０
コポリマーＩＩ：ポリ［アクリル酸ｔ−ブチル／メタクリル酸／ポリジメチルシロキサンマクロモノマー］７０／１０／２０
（１）アクゾ（Akzo）からのアルミーン（Armeen）ＤＭ１８Ｄ
（２）アクゾ（Akzo）からのアルミーン（Armeen）ＤＭ１４Ｄ
（３）ＧＥからのＳＦ１２０２
（４）アルキミカ（Archimica）からのシルケア（Silcare）４１Ｍ１０
（５）ユニオンカーバイド（Union Carbide）からのカーボワックス（Carbowax）４００
（６）東レシリコーン（Toray Silicones）からの５０％ジメチコンエマルション
【００９２】
【表４】
2007521050.tif 000010
（１）ＢＡＳＦからのルビスコル（Luviscol）ＶＡ  ７３Ｗ（５０％活性）
（２）ＢＡＳＦからのルビセット（Luviset）ＰＵＲ（３０％活性）
（３）ＢＡＳＦからのルビテック（Luvitec）ＶＣＡＰ（３０％活性）
（４）ユニオンカーバイド（Union Carbide）からのカーボワックス（Carbowax）４００
（５）ＧＥからのＳＦ１２０２
【００９３】
実施例Ｉ〜ＸＶＩＩＩに記載の組成物は、本発明の特定の実施形態を例証するが、これらを限定することを意図しない。
【００９４】
例示する全ての組成物は、従来の配合及び混合技術によって調製できる。構成成分の量は、重量パーセントで列記され、希釈剤、充填剤などのような微量物質は含まない。そのため、列挙した配合物は、列挙した構成成分及びこのような構成成分に関連するあらゆる微量物質を含む。
【００９５】
本発明の様々な実施形態を示し説明してきたが、本発明の範囲を逸脱することなく、当業者により適切な修正を加えて、本明細書に説明するような本発明の更なる適応を達成することができる。これらの潜在的な修正及び変更のいくつかは既に言及されており、他の修正及び変更は当業者には明白であろう。例えば、本発明のシステムの代表的実施形態を説明の目的で検討してきたが、記載されている要素は、技術的な進歩により絶えず更新され、改善され得ることを理解されたい。それ故に、本発明の範囲は、添付の特許請求の範囲に関して考察されるべきであり、明細書及び図面に示され、記載される構造、操作、又はプロセス工程の詳細に限定されないことが理解される。
【図面の簡単な説明】
【００９６】
【図１Ａ】本発明によるヘアスタイリング装置の平面図。
【図１Ｂ】本発明によるヘアスタイリング装置の側面図。
【図１Ｃ】図１Ｂの点線Ｂに沿って取った横断方向断面。
【図２Ａ】本発明によるヘアスタイリング装置の側面図。
【図２Ｂ】結束手段及び乾燥手段を含む、本発明によるヘアスタイリング装置の組み立て分解側面図。
【図２Ｃ】櫛歯アセンブリ及びデリバリーシステムを含む、本発明によるヘアスタイリング装置の組み立て分解側面図。
【図２Ｄ】チューブセット、駆動手段及び貯蔵器から成る、本発明によるヘアスタイリング装置の更なる組み立て分解側面図。
【図３】本発明によるヘアスタイリング装置の長手方向断面図。
【図４】本発明にしたがって熱発生抵抗線に電流を導通させるように構成された電気配線の概略図。
【図５Ａ】本発明による櫛歯及び立ち上げプレートの正面図。
【図５Ｂ】未処理の毛髪を有する頭皮の平面図。
【図５Ｃ】１つの櫛歯が取り除かれた本発明によるヘアスタイリング装置の長手方向図。
【図６Ａ】毛髪に挿入されて頭皮上に置かれているヘアスタイリング装置を示す、１つの櫛歯が取り除かれた本発明によるヘアスタイリング装置の使用を示す側面図。
【図６Ｂ】毛髪に挿入されて頭皮上に置かれているヘアスタイリング装置を示す、本発明によるヘアスタイリング装置の使用を示す正面図。
【図７Ａ】毛髪に挿入された毛髪の更なる整列及び保持のための手段を有するヘアスタイリング装置を示す、１つの櫛歯が取り除かれた本発明によるヘアスタイリング装置の使用を示す長手方向図。
【図７Ｂ】頭皮領域で毛髪に挿入された毛髪の更なる整列及び保持のための手段を有するヘアスタイリング装置を示す、本発明によるヘアスタイリング装置の使用を示す正面図。
【図８】図１Ｂの点線Ｂに沿って取った横断方向断面。
【図９】図７Ａの点線９Ａ−９Ａに沿って取った横断方向断面。
【図１０Ａ】結束手段が空気又はスタイリング組成物を提供してもよい本発明の一実施形態の長手方向図。
【図１０Ｂ】本発明の一実施形態の正面図。
【図１０Ｃ】交互の櫛歯が固化させる手段又は結束手段を提供してもよい、図１０Ａの点線Ｃに沿って取った本発明の一実施形態の拡大した横断方向断面図。
【図１１Ａ】更なる整列及び保持のための手段として機能する櫛歯を含む本発明の一実施形態の長手方向図。
【図１１Ｂ】更なる整列及び保持のための手段として機能する櫛歯を含む本発明の一実施形態の正面図。
【図１１Ｃ】持ち上げられた位置で更なる整列及び保持のための手段として機能する櫛歯を含む本発明の一実施形態の長手方向図。
【図１１Ｄ】持ち上げられた位置で更なる整列及び保持のための手段として機能する櫛歯を含む本発明の一実施形態の正面図。
【図１２Ａ】結束手段を有する貯蔵器を含む本発明の一実施形態の平面図。
【図１２Ｂ】結束手段を有する貯蔵器を含む本発明の一実施形態の図１２Ａの線Ｇ−Ｇに沿って取った長手方向断面図。
【図１２Ｃ】図１２Ｂの線Ｂ−Ｂに沿って取った本発明の一実施形態の横断方向断面図。
【図１３Ａ】貯蔵器を含む本発明によるヘアスタイリング装置の一実施形態の図。
【図１３Ｂ】図１３Ａの点線Ｄ−Ｄに沿って取った本発明によるヘアスタイリング装置の一実施形態の長手方向断面図。
【図１３Ｃ】出口及びパイプを有するスタイリング組成物を収容するための容器を含む、本発明によるヘアスタイリング装置の一実施形態の図。
【図１３Ｄ】図１３Ｃの点線Ｅに沿って取った本発明によるヘアスタイリング装置の一実施形態の横断方向断面図。
【図１３Ｅ】本発明の一実施形態が容器を含む場合の平面図。
【図１３Ｆ】貯蔵器を含む本発明によるヘアスタイリング装置の一実施形態の平面図。
【図１３Ｇ】容器に結合されていない場合の再充填可能な貯蔵器を含む、本発明によるヘアスタイリング装置の一実施形態の長手方向断面図。
【図１３Ｈ】容器に接触しているが容器から流体が分配されない場合の再充填可能な貯蔵器を含む、本発明によるヘアスタイリング装置の一実施形態の長手方向断面図。
【図１３Ｊ】容器と接触しており容器から流体が分散される場合の再充填可能な貯蔵器を含む、本発明によるヘアスタイリング装置の一実施形態の長手方向断面図。
【図１４Ａ】櫛歯の下に可動プレートを含む本発明によるヘアスタイリング装置の一実施形態の長手方向断面図。
【図１４Ｂ】櫛歯の下に可動プレートを含む本発明によるヘアスタイリング装置の一実施形態の正面図。
【図１４Ｃ】櫛歯の下に櫛歯から移動した可動プレートを含む本発明によるヘアスタイリング装置の一実施形態の長手方向断面図。
【図１４Ｄ】櫛歯の下に櫛歯から移動した可動プレートを含む本発明によるヘアスタイリング装置の一実施形態の正面図。
【図１５Ａ】結束手段と毛髪の更なる整列及び保持のための手段との間に配置された空気出口を含み、空気が結束手段の頂部から流れる、本発明によるヘアスタイリング装置の一実施形態の長手方向断面図。
【図１５Ｂ】結束手段と毛髪の更なる整列及び保持のための手段とを含む本発明によるヘアスタイリング装置の一実施形態の正面図。
【図１５Ｃ】結束手段と毛髪の更なる整列及び保持のための手段との間に空気を提供するために開いた空気出口を含む、本発明によるヘアスタイリング装置の一実施形態の長手方向断面図。
【図１５Ｄ】結束手段と毛髪の更なる整列及び保持のための手段との間に空気を提供するために開いた空気出口を含む、本発明によるヘアスタイリング装置の一実施形態の正面図。
【図１６Ａ】結束手段と結束手段の下に配置された可動プレートとの間に配置された空気出口を含み、空気が結束手段の底部から流れる、本発明によるヘアスタイリング装置の一実施形態の長手方向断面図。
【図１６Ｂ】結束手段と結束手段の下に配置された可動プレートとの間に空気を提供する空気出口を含む、本発明によるスタイリング装置の一実施形態の正面図。
【図１７Ａ】櫛歯の間に毛髪の更なる整列及び保持のための手段を含む、本発明によるヘアスタイリング装置の一実施形態における櫛歯の図１７Ｂの線Ｆ−Ｆに沿って取った長手方向断面図。
【図１７Ｂ】櫛歯の間に設置された毛髪の更なる整列及び保持のための手段を含む、本発明によるヘアスタイリング装置の一実施形態の正面図。
【図１７Ｃ】櫛歯の間で持ち上げられた毛髪の更なる整列及び保持のための手段を含む、本発明によるヘアスタイリング装置の一実施形態における櫛歯の長手方向断面図。
【図１７Ｄ】櫛歯の間で持ち上げられた更なる整列及び保持のための手段を含む本発明によるヘアスタイリング装置の一実施形態の正面図。
【図１８Ａ】スタイリング組成物の放出のためのチューブ内部にロッドを含むアプリケータ手段を含む、本発明によるヘアスタイリング装置の一実施形態の長手方向断面図。
【図１８Ｂ】図１８Ａの区画Ｈに沿って取った本発明によるヘアスタイリング装置の一実施形態の長手方向断面図の拡大図。
【図１８Ｃ】図１８Ｂの点線Ｇ−Ｇに沿って取った本発明によるヘアスタイリング装置の横断方向断面図。
【図１９Ａ】結束手段、更なる整列及び保持のための手段、ボタン及び貯蔵器を含む本発明によるヘアスタイリング装置の一実施形態の側面図。
【図１９Ｂ】結束手段並びに更なる整列及び保持のための手段を含む本発明による図１９Ａのヘアスタイリング装置の一実施形態の平面図。
【図１９Ｃ】結束手段、空気出口、及びボタンを含む本発明による図１９Ａのヘアスタイリング装置の一実施形態の正面図。
【図２０Ａ】図１９Ｂの線Ｊ−Ｊに沿って取った本発明によるヘアスタイリング装置の一実施形態の長手方向断面図。
【図２０Ｂ】結束手段、空気出口、及びボタンを含む本発明によるヘアスタイリング装置の一実施形態の正面図。
【図２０Ｃ】放出手段並びに歯を有する更なる整列及び保持のための手段を含み、ボタンが作動されている、本発明によるヘアスタイリング装置の一実施形態の長手方向断面図。
【図２０Ｄ】結束手段、空気出口、及びボタンを含む本発明によるヘアスタイリング装置の一実施形態の正面図。
【図２１Ａ】図１９Ｂの線Ｋ−Ｋに沿って取った本発明によるヘアスタイリング装置の一実施形態の長手方向断面図。
【図２１Ｂ】結束手段、空気出口、及びボタンを含む本発明によるヘアスタイリング装置の一実施形態の正面図。
【図２１Ｃ】図１９Ｂの線Ｋ−Ｋに沿って取った、ボタンが作動されている本発明によるヘアスタイリング装置の一実施形態の長手方向断面図。
【図２１Ｄ】結束手段、空気出口、及びボタンを含む本発明によるヘアスタイリング装置の一実施形態の正面図。
【図２２Ａ】ロッド及び溝を含む本発明によるアプリケータ手段の組み立て分解長手方向断面図。
【図２２Ｂ】図２１Ｃの部分Ｍの拡大長手方向側面図。
【図２２Ｃ】図２２Ｂの点線Ｌ−Ｌに沿って取った本発明によるアプリケータ手段の横断方向断面図。
【図２３Ａ】レバー、熱プレート、ポンプ、及び貯蔵器を含む本発明によるヘアスタイリング装置の一実施形態の長手方向断面図。
【図２３Ｂ】レバーが作動されている本発明によるヘアスタイリング装置の一実施形態の長手方向断面図。
【図２３Ｃ】シャッター及び熱プレートを含む本発明によるヘアスタイリング装置の一実施形態の上面長手方向断面図。
【図２３Ｄ】レバーが作動されている本発明によるヘアスタイリング装置の一実施形態の上面長手方向断面図。
2007521050.tif 000013
2007521050.tif 000014
2007521050.tif 000015
【図３】
2007521050.tif 000016
【図４】
2007521050.tif 000017
2007521050.tif 000018
2007521050.tif 000019
2007521050.tif 000020
【図８】
2007521050.tif 000021
【図９】
2007521050.tif 000022
2007521050.tif 000023
2007521050.tif 000024
2007521050.tif 000025
2007521050.tif 000026
2007521050.tif 000027
2007521050.tif 000028
2007521050.tif 000029
2007521050.tif 000030
2007521050.tif 000031
2007521050.tif 000032
2007521050.tif 000033
2007521050.tif 000034
2007521050.tif 000035
2007521050.tif 000036
2007521050.tif 000037
2007521050.tif 000038
2007521050.tif 000039
2007521050.tif 000040
2007521050.tif 000041
【国際調査報告】
2007521050.tif 000042
2007521050.tif 000043
2007521050.tif 000044